(57)【要約】      （修正有）【課題】共有無線周波数スペクトル帯域を介し、割り当てられたアップリンクリソースを使用してアップリンクデータ送信を送信するための技法を提供する。【解決手段】着信データストリームは、ＵＥのためのリソースブロック（ＲＢ）３３０の割り当てられたインターレース３１５、３２０、３２５・・・の各々に多重分離される。物理アップリンク制御チャネル（ＰＵＣＣＨ）、物理アップリンク共有チャネル（ＰＵＳＣＨ）および／または物理ランダムアクセスチャネル（ＰＲＡＣＨ）などの異なるタイプのアップリンクチャネルは、送信された無線フレームの１つまたは複数のサブフレーム３０５中のＲＢのインターレースに割り当てられる。【選択図】図３
2019126038.tif 000002
【特許請求の範囲】
【請求項１】
ワイヤレス通信のための方法であって、
１つまたは複数のアップリンクチャネル上で送信されるべきデータを備えるデータストリームを取得することと、前記１つまたは複数のアップリンクチャネルの各々が、共有無線周波数スペクトル帯域を介したアップリンク送信のためのいくつかの割り当てられたインターレースを備える、ここにおいて、前記いくつかの割り当てられたインターレースの各々が、前記共有無線周波数スペクトル帯域の１つまたは複数のリソースブロックを備える、
前記いくつかの割り当てられたインターレースのための１つまたは複数の多重分離されたデータストリームを与えるために前記データストリームを多重分離することと、
前記いくつかの割り当てられたインターレースに関連する複数のリソース要素に前記１つまたは複数の多重分離されたデータストリームのうちの少なくとも１つをマッピングすることと
を備える、方法。
【請求項２】
前記いくつかの割り当てられたインターレースの各々が、前記共有無線周波数スペクトル帯域の複数の不連続リソースブロックを備える、請求項１に記載の方法。
【請求項３】
前記いくつかの割り当てられたインターレースの各々が、前記共有無線周波数スペクトル帯域の複数の連続リソースブロックを備える、請求項１に記載の方法。
【請求項４】
前記いくつかの割り当てられたインターレースの各々が、前記共有無線周波数スペクトル帯域の複数のリソースブロックを備え、ここにおいて、前記複数のリソースブロックの第１のサブセットが連続であり、前記複数のリソースブロックの第２のサブセットが不連続である、請求項１に記載の方法。
【請求項５】
前記１つまたは複数のアップリンクチャネルが、物理アップリンク共有チャネル（ＰＵＳＣＨ）を備える、請求項１に記載の方法。
【請求項６】
前記ＰＵＳＣＨのための前記いくつかの割り当てられたインターレースの前記１つまたは複数のリソースブロックが、非隣接リソースブロックを備え、ここにおいて、別個の多重分離されたデータストリームが、前記非隣接リソースブロックの各リソースブロックにマッピングされる、請求項５に記載の方法。
【請求項７】
前記ＰＵＳＣＨのための前記いくつかの割り当てられたインターレースの前記１つまたは複数のリソースブロックが、少なくとも２つの隣接リソースブロックを備え、ここにおいて、前記１つまたは複数の多重分離されたデータストリームのうちの１つが、前記少なくとも２つの隣接リソースブロックの各リソースブロックにマッピングされる、請求項５に記載の方法。
【請求項８】
前記複数のリソース要素が、シングルキャリア周波数分割多元接続（ＳＣ−ＦＤＭＡ）技法を使用して送信される、請求項５に記載の方法。
【請求項９】
前記方法が、
多重分離されたデータストリームごとに離散フーリエ変換（ＤＦＴ）を実行すること  をさらに備える、請求項８に記載の方法。
【請求項１０】
前記複数のリソース要素が、直交周波数分割多元接続（ＯＦＤＭＡ）技法を使用して送信される、請求項５に記載の方法。
【請求項１１】
前記１つまたは複数のアップリンクチャネルが、物理アップリンク制御チャネル（ＰＵＣＣＨ）を備える、請求項１に記載の方法。
【請求項１２】
前記１つまたは複数の多重分離されたデータストリームのうちの少なくとも１つのために離散フーリエ変換（ＤＦＴ）を実行すること
をさらに備える、請求項１１に記載の方法。
【請求項１３】
前記ＰＵＣＣＨ上で送信されるべき前記データのペイロードサイズを決定することと、  前記ペイロードサイズに基づいて選択された符号化方式を使用して送信されるべき前記データを符号化することと
をさらに備える、請求項１１に記載の方法。
【請求項１４】
前記データを符号化することが、前記ペイロードサイズのしきい値に少なくとも部分的に基づいて前記データを符号化する前記符号化方式を選択することを備える、請求項１３に記載の方法。
【請求項１５】
前記ＰＵＣＣＨのための前記いくつかの割り当てられたインターレースに少なくとも部分的に基づいて前記符号化されたデータをレートマッチングすること
をさらに備える、請求項１３に記載の方法。
【請求項１６】
前記レートマッチングされた符号化されたデータをインターリーブすること
をさらに備える、請求項１５に記載の方法。
【請求項１７】
前記インターリーブされレートマッチングされた符号化されたデータをスクランブルすること
をさらに備える、請求項１６に記載の方法。
【請求項１８】
拡散シーケンスを使用して前記１つまたは複数の多重分離されたデータストリームの各々を拡散すること
をさらに備える、請求項１１に記載の方法。
【請求項１９】
基準信号で前記１つまたは複数の多重分離されたデータストリームの各々を多重化すること
をさらに備える、請求項１１に記載の方法。
【請求項２０】
前記１つまたは複数のアップリンクチャネルが、物理ランダムアクセスチャネル（ＰＲＡＣＨ）を備える、請求項１に記載の方法。
【請求項２１】
ランダムアクセス要求のための前記いくつかの割り当てられたインターレースのサブセットを選択することと、
前記いくつかの割り当てられたインターレースの前記選択されたサブセットのための前記データストリームに送信されるべき前記データを符号化することと
をさらに備える、請求項２０に記載の方法。
【請求項２２】
前記ＰＲＡＣＨへの前記いくつかの割り当てられたインターレースに少なくとも部分的に基づいて前記符号化されたデータをレートマッチングすること
をさらに備える、請求項２１に記載の方法。
【請求項２３】
前記レートマッチングされた符号化されたデータをインターリーブすること
をさらに備える、請求項２２に記載の方法。
【請求項２４】
前記インターリーブされレートマッチングされた符号化されたデータをスクランブルすること
をさらに備える、請求項２３に記載の方法。
【請求項２５】
前記いくつかの割り当てられたインターレースの各々のための前記１つまたは複数の多重分離されたデータストリームの各々を拡散することと、
前記１つまたは複数の多重分離されたデータストリームの各々のために離散フーリエ変換（ＤＦＴ）を実行すること
をさらに備える、請求項２０に記載の方法。
【請求項２６】
基準信号で前記いくつかの割り当てられたインターレースの各々のための前記１つまたは複数の多重分離されたデータストリームの各々を多重化すること
をさらに備える、請求項２０に記載の方法。
【請求項２７】
前記１つまたは複数のアップリンクチャネルが、物理アップリンク制御チャネル（ＰＵＣＣＨ）と、物理アップリンク共有チャネル（ＰＵＳＣＨ）と、物理ランダムアクセスチャネル（ＰＲＡＣＨ）とを備える、請求項１に記載の方法。
【請求項２８】
前記ＰＵＣＣＨ、ＰＵＳＣＨ、およびＰＲＡＣＨの前記各々が、割り当てられたインターレースの１つまたは複数のクラスタを備える、請求項２７に記載の方法。
【請求項２９】
割り当てられたインターレースの前記１つまたは複数のクラスタの各々が、前記ＰＵＣＣＨ、ＰＵＳＣＨ、またはＰＲＡＣＨのうちの１つのための前記いくつかの割り当てられたインターレースを備える、請求項２８に記載の方法。
【請求項３０】
前記ＰＵＣＣＨが、無線フレームの第１のアップリンクサブフレーム中に割り当てられたインターレースの１つまたは複数のクラスタを備える、請求項２８に記載の方法。
【請求項３１】
前記ＰＲＡＣＨが、無線フレームの第１のアップリンクサブフレーム中に割り当てられたインターレースの１つまたは複数のクラスタを備える、請求項２８に記載の方法。
【請求項３２】
前記ＰＵＳＣＨが、無線フレームの第１のアップリンクサブフレーム中の割り当てられたインターレースのクラスタの第１のサブセットと前記無線フレームの後続のアップリンクサブフレームのための割り当てられたインターレースのクラスタの第２のサブセットとを備え、割り当てられたインターレースのクラスタの前記第２のサブセットが、割り当てられたインターレースのクラスタの前記第１のサブセットとは異なる数の、割り当てられたインターレースのクラスタを有する、請求項２８に記載の方法。
【請求項３３】
割り当てられたインターレースのクラスタの前記第１のサブセットと割り当てられたインターレースのクラスタの前記第２のサブセットとのために利用可能なクラスタが、基地局から受信された制御シグナリングに基づいて決定される、請求項３２に記載の方法。
【請求項３４】
ワイヤレス通信のための装置であって、
プロセッサと、
前記プロセッサと電子通信しているメモリと
を備え、
前記プロセッサと前記メモリとが、
１つまたは複数のアップリンクチャネル上で送信されるべきデータを備えるデータストリームを取得することと、前記１つまたは複数のアップリンクチャネルの各々が、共有無線周波数スペクトル帯域を介したアップリンク送信のためのいくつかの割り当てられたインターレースを備える、ここにおいて、前記いくつかの割り当てられたインターレースの各々が、前記共有無線周波数スペクトル帯域の１つまたは複数のリソースブロックを備える、
前記いくつかの割り当てられたインターレースのための１つまたは複数の多重分離されたデータストリームを与えるために前記データストリームを多重分離することと、
前記いくつかの割り当てられたインターレースに関連する複数のリソース要素に前記１つまたは複数の多重分離されたデータストリームのうちの少なくとも１つをマッピングすることと
を行うように構成された、装置。
【請求項３５】
前記いくつかの割り当てられたインターレースの各々が、前記共有無線周波数スペクトル帯域の複数の不連続リソースブロックを備える、請求項３４に記載の装置。
【請求項３６】
前記いくつかの割り当てられたインターレースの各々が、前記共有無線周波数スペクトル帯域の複数の連続リソースブロックを備える、請求項３４に記載の装置。
【請求項３７】
前記いくつかの割り当てられたインターレースの各々が、前記共有無線周波数スペクトル帯域の複数のリソースブロックを備え、ここにおいて、前記複数のリソースブロックの第１のサブセットが連続であり、前記複数のリソースブロックの第２のサブセットが不連続である、請求項３４に記載の装置。
【請求項３８】
前記１つまたは複数のアップリンクチャネルが、物理アップリンク共有チャネル（ＰＵＳＣＨ）を備える、請求項３４に記載の装置。
【請求項３９】
前記ＰＵＳＣＨのための前記いくつかの割り当てられたインターレースの前記１つまたは複数のリソースブロックが、非隣接リソースブロックを備え、ここにおいて、別個の多重分離されたデータストリームが、前記非隣接リソースブロックの各リソースブロックにマッピングされる、請求項３８に記載の装置。
【請求項４０】
前記ＰＵＳＣＨのための前記いくつかの割り当てられたインターレースの前記１つまたは複数のリソースブロックが、少なくとも２つの隣接リソースブロックを備え、ここにおいて、前記１つまたは複数の多重分離されたデータストリームのうちの１つが、前記少なくとも２つの隣接リソースブロックの各リソースブロックにマッピングされる、請求項３８に記載の装置。
【請求項４１】
前記複数のリソース要素が、シングルキャリア周波数分割多元接続（ＳＣ−ＦＤＭＡ）技法を使用して送信される、請求項３８に記載の装置。
【請求項４２】
前記プロセッサと前記メモリとが、
前記１つまたは複数の多重分離されたデータストリームの各々のために離散フーリエ変換（ＤＦＴ）を実行すること
を行うようにさらに構成された、請求項４１に記載の装置。
【請求項４３】
前記複数のリソース要素が、直交周波数分割多元接続（ＯＦＤＭＡ）技法を使用して送信される、請求項３８に記載の装置。
【請求項４４】
前記１つまたは複数のアップリンクチャネルが、物理アップリンク制御チャネル（ＰＵＣＣＨ）を備える、請求項３４に記載の装置。
【請求項４５】
前記プロセッサと前記メモリとが、
前記１つまたは複数の多重分離されたデータストリームのうちの少なくとも１つのために離散フーリエ変換（ＤＦＴ）を実行すること
を行うようにさらに構成された、請求項４４に記載の装置。
【請求項４６】
前記プロセッサと前記メモリとが、
前記ＰＵＣＣＨ上で送信されるべき前記データのペイロードサイズを決定することと、  前記ペイロードサイズに基づいて選択された符号化方式を使用して送信されるべき前記データを符号化することと
を行うようにさらに構成された、請求項４４に記載の装置。
【請求項４７】
前記プロセッサと前記メモリとが、前記ペイロードサイズのしきい値に少なくとも部分的に基づいて前記データを符号化する前記符号化方式を選択することを行うようにさらに構成された、請求項４６に記載の装置。
【請求項４８】
前記プロセッサと前記メモリとが、
前記ＰＵＣＣＨのための前記いくつかの割り当てられたインターレースに少なくとも部分的に基づいて前記符号化されたデータをレートマッチングすること
を行うようにさらに構成された、請求項４６に記載の装置。
【請求項４９】
前記プロセッサと前記メモリとが、
前記レートマッチングされた符号化されたデータをインターリーブすること
を行うようにさらに構成された、請求項４８に記載の装置。
【請求項５０】
前記プロセッサと前記メモリとが、
前記インターリーブされレートマッチングされた符号化されたデータをスクランブルすること
を行うようにさらに構成された、請求項４９に記載の装置。
【請求項５１】
前記プロセッサと前記メモリとが、
拡散シーケンスを使用して前記１つまたは複数の多重分離されたデータストリームの各々を拡散すること
を行うようにさらに構成された、請求項４４に記載の装置。
【請求項５２】
前記プロセッサと前記メモリとが、
基準信号で前記１つまたは複数の多重分離されたデータストリームの各々を多重化すること
を行うようにさらに構成された、請求項４４に記載の装置。
【請求項５３】
前記１つまたは複数のアップリンクチャネルが、物理ランダムアクセスチャネル（ＰＲＡＣＨ）を備える、請求項３４に記載の装置。
【請求項５４】
前記プロセッサと前記メモリとが、
ランダムアクセス要求のための前記いくつかの割り当てられたインターレースのサブセットを選択することと、
前記いくつかの割り当てられたインターレースの前記選択されたサブセットのための前記データストリームに送信されるべき前記データを符号化することと
を行うようにさらに構成された、請求項５３に記載の装置。
【請求項５５】
前記プロセッサと前記メモリとが、
前記ＰＲＡＣＨへの前記いくつかの割り当てられたインターレースに少なくとも部分的に基づいて前記符号化されたデータをレートマッチングすること
を行うようにさらに構成された、請求項５４に記載の装置。
【請求項５６】
前記プロセッサと前記メモリとが、
前記レートマッチングされた符号化されたデータをインターリーブすること
を行うようにさらに構成された、請求項５５に記載の装置。
【請求項５７】
前記プロセッサと前記メモリとが、
前記インターリーブされレートマッチングされた符号化されたデータをスクランブルすること
を行うようにさらに構成された、請求項５６に記載の装置。
【請求項５８】
前記プロセッサと前記メモリとが、
前記いくつかの割り当てられたインターレースの各々のための前記１つまたは複数の多重分離されたデータストリームの各々を拡散することと、
前記１つまたは複数の多重分離されたデータストリームの各々のために離散フーリエ変換（ＤＦＴ）を実行することと
を行うようにさらに構成された、請求項５３に記載の装置。
【請求項５９】
前記プロセッサと前記メモリとが、
基準信号で前記いくつかの割り当てられたインターレースの各々のための前記１つまたは複数の多重分離されたデータストリームの各々を多重化すること
を行うようにさらに構成された、請求項５３に記載の装置。
【請求項６０】
前記１つまたは複数のアップリンクチャネルが、物理アップリンク制御チャネル（ＰＵＣＣＨ）と、物理アップリンク共有チャネル（ＰＵＳＣＨ）と、物理ランダムアクセスチャネル（ＰＲＡＣＨ）とを備える、請求項３４に記載の装置。
【請求項６１】
前記ＰＵＣＣＨ、ＰＵＳＣＨ、およびＰＲＡＣＨの前記各々が、割り当てられたインターレースの１つまたは複数のクラスタを備える、請求項６０に記載の装置。
【請求項６２】
割り当てられたインターレースの前記１つまたは複数のクラスタの各々が、前記ＰＵＣＣＨ、ＰＵＳＣＨ、またはＰＲＡＣＨのうちの１つのための前記いくつかの割り当てられたインターレースを備える、請求項６１に記載の装置。
【請求項６３】
前記ＰＵＣＣＨが、無線フレームの第１のアップリンクサブフレーム中に割り当てられたインターレースの１つまたは複数のクラスタを備える、請求項６１に記載の装置。
【請求項６４】
前記ＰＲＡＣＨが、無線フレームの第１のアップリンクサブフレーム中に割り当てられたインターレースの１つまたは複数のクラスタを備える、請求項６１に記載の装置。
【請求項６５】
前記ＰＵＳＣＨが、無線フレームの第１のアップリンクサブフレーム中の割り当てられたインターレースのクラスタの第１のサブセットと前記無線フレームの後続のアップリンクサブフレームのための割り当てられたインターレースのクラスタの第２のサブセットとを備え、割り当てられたインターレースのクラスタの前記第２のサブセットが、割り当てられたインターレースのクラスタの前記第１のサブセットとは異なる数の、割り当てられたインターレースのクラスタを有する、請求項６１に記載の装置。
【請求項６６】
割り当てられたインターレースのクラスタの前記第１のサブセットと割り当てられたインターレースのクラスタの前記第２のサブセットとのために利用可能なクラスタが、基地局から受信された制御シグナリングに基づいて決定される、請求項６５に記載の装置。
【請求項６７】
ワイヤレス通信のための装置であって、
１つまたは複数のアップリンクチャネル上で送信されるべきデータを備えるデータストリームを取得するための手段と、前記１つまたは複数のアップリンクチャネルの各々が、共有無線周波数スペクトル帯域を介したアップリンク送信のためのいくつかの割り当てられたインターレースを備える、ここにおいて、前記いくつかの割り当てられたインターレースの各々が、前記共有無線周波数スペクトル帯域の１つまたは複数のリソースブロックを備える、
前記いくつかの割り当てられたインターレースのための１つまたは複数の多重分離されたデータストリームを与えるために前記データストリームを多重分離するための手段と、  前記いくつかの割り当てられたインターレースに関連する複数のリソース要素に前記１つまたは複数の多重分離されたデータストリームのうちの少なくとも１つをマッピングするための手段と
を備える、装置。
【請求項６８】
前記いくつかの割り当てられたインターレースの各々が、前記共有無線周波数スペクトル帯域の複数の不連続リソースブロックを備える、請求項６７に記載の装置。
【請求項６９】
前記いくつかの割り当てられたインターレースの各々が、前記共有無線周波数スペクトル帯域の複数の連続リソースブロックを備える、請求項６７に記載の装置。
【請求項７０】
前記いくつかの割り当てられたインターレースの各々が、前記共有無線周波数スペクトル帯域の複数のリソースブロックを備え、ここにおいて、前記複数のリソースブロックの第１のサブセットが連続であり、前記複数のリソースブロックの第２のサブセットが不連続である、請求項６７に記載の装置。
【請求項７１】
前記１つまたは複数のアップリンクチャネルが、物理アップリンク共有チャネル（ＰＵＳＣＨ）を備える、請求項６７に記載の装置。
【請求項７２】
前記１つまたは複数の多重分離されたデータストリームの各々のために離散フーリエ変換（ＤＦＴ）を実行するための手段
をさらに備える、請求項７１に記載の装置。
【請求項７３】
前記１つまたは複数のアップリンクチャネルが、物理アップリンク制御チャネル（ＰＵＣＣＨ）を備える、請求項６７に記載の装置。
【請求項７４】
前記１つまたは複数の多重分離されたデータストリームのうちの少なくとも１つのために離散フーリエ変換（ＤＦＴ）を実行するための手段
をさらに備える、請求項７３に記載の装置。
【請求項７５】
前記ＰＵＣＣＨ上で送信されるべき前記データのペイロードサイズを決定するための手段と、
前記ペイロードサイズに基づいて選択された符号化方式を使用して送信されるべき前記データを符号化するための手段と
をさらに備える、請求項７３に記載の装置。
【請求項７６】
前記データを符号化するための前記手段が、前記ペイロードサイズのしきい値に少なくとも部分的に基づいて前記データを符号化する前記符号化方式を選択するための手段を備える、請求項７５に記載の装置。
【請求項７７】
前記１つまたは複数のアップリンクチャネルが、物理ランダムアクセスチャネル（ＰＲＡＣＨ）を備える、請求項６７に記載の装置。
【請求項７８】
ランダムアクセス要求のための前記いくつかの割り当てられたインターレースのサブセットを選択するための手段と、
前記いくつかの割り当てられたインターレースの前記選択されたサブセットのための前記データストリームに送信されるべき前記データを符号化するための手段と
をさらに備える、請求項７７に記載の装置。
【請求項７９】
前記いくつかの割り当てられたインターレースの各々のための前記１つまたは複数の多重分離されたデータストリームの各々を拡散するための手段と、
前記１つまたは複数の多重分離されたデータストリームの各々のために離散フーリエ変換（ＤＦＴ）を実行するための手段と
をさらに備える、請求項７８に記載の装置。
【請求項８０】
前記１つまたは複数のアップリンクチャネルが、物理アップリンク制御チャネル（ＰＵＣＣＨ）と、物理アップリンク共有チャネル（ＰＵＳＣＨ）と、物理ランダムアクセスチャネル（ＰＲＡＣＨ）とを備える、請求項６７に記載の装置。
【請求項８１】
前記ＰＵＣＣＨ、ＰＵＳＣＨ、およびＰＲＡＣＨの前記各々が、割り当てられたインターレースの１つまたは複数のクラスタを備える、請求項８０に記載の装置。
【請求項８２】
前記ＰＵＣＣＨと前記ＰＲＡＣＨとの各々が、無線フレームの第１のアップリンクサブフレーム中に割り当てられたインターレースの１つまたは複数のクラスタを備える、請求項８１に記載の装置。
【請求項８３】
前記ＰＵＳＣＨが、無線フレームの第１のアップリンクサブフレーム中の割り当てられたインターレースのクラスタの第１のサブセットと前記無線フレームの後続のアップリンクサブフレームのための割り当てられたインターレースのクラスタの第２のサブセットとを備え、割り当てられたインターレースのクラスタの前記第２のサブセットが、割り当てられたインターレースのクラスタの前記第１のサブセットとは異なる数の、割り当てられたインターレースのクラスタを有する、請求項８１に記載の装置。
【請求項８４】
ワイヤレス通信のためのコンピュータ実行可能コードを記憶する非一時的コンピュータ可読媒体であって、前記コードが、プロセッサによって、
１つまたは複数のアップリンクチャネル上で送信されるべきデータを備えるデータストリームを取得することと、前記１つまたは複数のアップリンクチャネルの各々が、共有無線周波数スペクトル帯域を介したアップリンク送信のためのいくつかの割り当てられたインターレースを備える、ここにおいて、前記いくつかの割り当てられたインターレースの各々が、前記共有無線周波数スペクトル帯域の１つまたは複数のリソースブロックを備える、
前記いくつかの割り当てられたインターレースのための１つまたは複数の多重分離されたデータストリームを与えるために前記データストリームを多重分離することと、
前記いくつかの割り当てられたインターレースに関連する複数のリソース要素に前記１つまたは複数の多重分離されたデータストリームのうちの少なくとも１つをマッピングすることと
を行うために実行可能である、非一時的コンピュータ可読媒体。
【請求項８５】
前記いくつかの割り当てられたインターレースの各々が、前記共有無線周波数スペクトル帯域の複数の不連続リソースブロックを備える、請求項８４に記載の非一時的コンピュータ可読媒体。
【請求項８６】
前記いくつかの割り当てられたインターレースの各々が、前記共有無線周波数スペクトル帯域の複数の連続リソースブロックを備える、請求項８４に記載の非一時的コンピュータ可読媒体。
【請求項８７】
前記いくつかの割り当てられたインターレースの各々が、前記共有無線周波数スペクトル帯域の複数のリソースブロックを備え、ここにおいて、前記複数のリソースブロックの第１のサブセットが連続であり、前記複数のリソースブロックの第２のサブセットが不連続である、請求項８４に記載の非一時的コンピュータ可読媒体。
【請求項８８】
前記１つまたは複数のアップリンクチャネルが、物理アップリンク共有チャネル（ＰＵＳＣＨ）を備える、請求項８４に記載の非一時的コンピュータ可読媒体。
【請求項８９】
前記コードが、前記プロセッサによって、
前記１つまたは複数の多重分離されたデータストリームの各々のために離散フーリエ変換（ＤＦＴ）を実行することと
を行うためにさらに実行可能である、請求項８８に記載の非一時的コンピュータ可読媒体。
【請求項９０】
前記１つまたは複数のアップリンクチャネルが、物理アップリンク制御チャネル（ＰＵＣＣＨ）を備える、請求項８４に記載の非一時的コンピュータ可読媒体。
【請求項９１】
前記コードが、前記プロセッサによって、
前記１つまたは複数の多重分離されたデータストリームのうちの少なくとも１つのために離散フーリエ変換（ＤＦＴ）を実行すること
を行うためにさらに実行可能である、請求項９０に記載の非一時的コンピュータ可読媒体。
【請求項９２】
前記コードが、前記プロセッサによって、
前記ＰＵＣＣＨ上で送信されるべき前記データのペイロードサイズを決定することと、  前記ペイロードサイズに基づいて選択された符号化方式を使用して送信されるべき前記データを符号化することと
を行うためにさらに実行可能である、請求項９０に記載の非一時的コンピュータ可読媒体。
【請求項９３】
前記コードが、前記プロセッサによって、前記ペイロードサイズのしきい値に少なくとも部分的に基づいて前記データを符号化する前記符号化方式を選択することを行うためにさらに実行可能である、請求項９２に記載の非一時的コンピュータ可読媒体。
【請求項９４】
前記１つまたは複数のアップリンクチャネルが、物理ランダムアクセスチャネル（ＰＲＡＣＨ）を備える、請求項８４に記載の非一時的コンピュータ可読媒体。
【請求項９５】
前記コードが、前記プロセッサによって、
ランダムアクセス要求のための前記いくつかの割り当てられたインターレースのサブセットを選択することと、
前記いくつかの割り当てられたインターレースの前記選択されたサブセットのための前記データストリームに送信されるべき前記データを符号化することと
を行うためにさらに実行可能である、請求項９４に記載の非一時的コンピュータ可読媒体。
【請求項９６】
前記コードが、前記プロセッサによって、
前記いくつかの割り当てられたインターレースの各々のための前記１つまたは複数の多重分離されたデータストリームの各々を拡散することと、
前記１つまたは複数の多重分離されたデータストリームの各々のために離散フーリエ変換（ＤＦＴ）を実行することと
を行うためにさらに実行可能である、請求項９５に記載の非一時的コンピュータ可読媒体。
【請求項９７】
前記１つまたは複数のアップリンクチャネルが、物理アップリンク制御チャネル（ＰＵＣＣＨ）と、物理アップリンク共有チャネル（ＰＵＳＣＨ）と、物理ランダムアクセスチャネル（ＰＲＡＣＨ）とを備える、請求項８４に記載の非一時的コンピュータ可読媒体。
【請求項９８】
前記ＰＵＣＣＨ、ＰＵＳＣＨ、およびＰＲＡＣＨの前記各々が、割り当てられたインターレースの１つまたは複数のクラスタを備える、請求項９７に記載の非一時的コンピュータ可読媒体。
【請求項９９】
前記ＰＵＣＣＨと前記ＰＲＡＣＨとの各々が、無線フレームの第１のアップリンクサブフレーム中に割り当てられたインターレースの１つまたは複数のクラスタを備える、請求項９８に記載の非一時的コンピュータ可読媒体。
【請求項１００】
前記ＰＵＳＣＨが、無線フレームの第１のアップリンクサブフレーム中の割り当てられたインターレースのクラスタの第１のサブセットと前記無線フレームの後続のアップリンクサブフレームのための割り当てられたインターレースのクラスタの第２のサブセットとを備え、割り当てられたインターレースのクラスタの前記第２のサブセットが、割り当てられたインターレースのクラスタの前記第１のサブセットとは異なる数の、割り当てられたインターレースのクラスタを有する、請求項９８に記載の非一時的コンピュータ可読媒体。
【発明の詳細な説明】
【技術分野】
【０００１】
相互参照
[0001]本特許出願は、各々が本出願の譲受人に譲渡された、２０１５年７月２３日に出願された、「Ｔｅｃｈｎｉｑｕｅｓ  ｆｏｒ  Ｃｏｎｆｉｇｕｒｉｎｇ  Ｕｐｌｉｎｋ  Ｃｈａｎｎｅｌ  Ｔｒａｎｓｍｉｓｓｉｏｎｓ  Ｕｓｉｎｇ  Ｓｈａｒｅｄ  Ｒａｄｉｏ  Ｆｒｅｑｕｅｎｃｙ  Ｓｐｅｃｔｒｕｍ  Ｂａｎｄ」と題する、Ｗｅｉらによる米国特許出願第１４／８０７，０２４号、および２０１４年８月４日に出願された、「Ｔｅｃｈｎｉｑｕｅｓ  ｆｏｒ  Ｃｏｎｆｉｇｕｒｉｎｇ  Ｕｐｌｉｎｋ  Ｃｈａｎｎｅｌ  Ｔｒａｎｓｍｉｓｓｉｏｎｓ  Ｕｓｉｎｇ  Ｓｈａｒｅｄ  Ｒａｄｉｏ  Ｆｒｅｑｕｅｎｃｙ  Ｓｐｅｃｔｒｕｍ  Ｂａｎｄ」と題する、Ｗｅｉらによる米国仮特許出願第６２／０３３，０３５号の優先権を主張する。
【０００２】
[0002]本開示は、たとえば、ワイヤレス通信システムに関し、より詳細には、共有無線周波数スペクトル帯域中でのアップリンクチャネル送信を構成するための技法に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって、複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムが含まれる。
【０００４】
[0004]例として、ワイヤレス多元接続通信システムは、各々が複数のユーザ機器（ＵＥ）のための通信を同時にサポートする、いくつかの基地局を含み得る。基地局は、（たとえば、基地局からＵＥへの送信のために）ダウンリンクチャネル、および（たとえば、ＵＥから基地局への送信のために）アップリンクチャネル上で、ＵＥと通信し得る。
【０００５】
[0005]いくつかの通信モードは、セルラーネットワークの様々な無線周波数スペクトル帯域（たとえば、認可無線周波数スペクトル帯域および／あるいは無認可または共有無線周波数スペクトル帯域）を介するＵＥとの通信を可能にし得る。認可無線周波数スペクトル帯域を使用するセルラーネットワークにおけるデータトラフィックの増加とともに、少なくとも一部のデータトラフィックの、共有無線周波数スペクトル帯域へのオフローディングは、セルラー事業者に拡張データ送信容量のための機会を与え得る。無認可（または共有）無線周波数スペクトル帯域へのアクセスを獲得し、無認可（または共有）無線周波数スペクトル帯域を介して通信する前に、送信装置は、いくつかの例では、無認可無線周波数スペクトル帯域へのアクセスを求めて競合するために、リッスンビフォアトーク（ＬＢＴ：listen before talk）手順を実行し得る。ＬＢＴ手順は、共有無線周波数スペクトル帯域のチャネルが利用可能であるかどうかを決定するためにクリアチャネルアセスメント（ＣＣＡ）を実施することを含み得る。（たとえば、別のワイヤレスデバイスが共有無線周波数スペクトル帯域のチャネルをすでに使用しているので）共有無線周波数スペクトル帯域のチャネルが利用可能ではないと決定されるとき、そのチャネルのためにＣＣＡが後で再び実行され得る。
【０００６】
[0006]場合によっては、送信は、共有無線周波数スペクトル帯域を使用しようとするワイヤレスデバイスによるチャネルアクセスの可能性を高める技法に従って実行され得る。いくつかの例示的な技法としては、同期方式でＵＥが使用するためのチャネルのためのリソースを割り当てることを含み得る。いくつかの例では、複数の基地局とＵＥとは、ＣＣＡ手順を同期させていることがあり、たとえば、基地局またはＵＥが協調ＣＣＡサブフレーム中にＣＣＡを実行し得るときのためのプロトコルを確立していることがある。
【発明の概要】
【０００７】
[0007]本開示は、たとえば、共有無線周波数スペクトル帯域中でのアップリンクチャネル送信を構成するための技法を含む、共有無線周波数スペクトル帯域を介したワイヤレス通信に関する。たとえば、本開示は、割り当てられたアップリンクリソースを使用してアップリンク送信を構成することに関する。そのような割り当てられたアップリンクリソースは、ユーザ機器（ＵＥ）が使用するためのリソースブロック（ＲＢ）のいくつかの割り当てられたインターレースを備えるアップリンクチャネルを含み得る。着信データストリームは、処理され、次いで、複数のストリームに分離され得、各々は、さらに処理され、次いで、ＵＥのために割り当てられたリソースブロック（ＲＢ）にマッピングされ得る。データストリームの複数のストリームへのそのような分離は、たとえば、ＵＥに割り当てられたインターレースの割り当てられたリソースブロック（ＲＢ）についてのデータを取得するためにデータストリームを多重分離することを通して行われ得る。多重分離されたデータは、割り当てられたインターレースに関連するリソースブロック（ＲＢ）の関連するリソース要素にマッピングされ、送信され得る。いくつかの例では、物理アップリンク制御チャネル（ＰＵＣＣＨ）、物理アップリンク共有チャネル（ＰＵＳＣＨ）および／または物理ランダムアクセスチャネル（ＰＲＡＣＨ）などの異なるタイプのアップリンクチャネルは、送信された無線フレームの１つまたは複数のサブフレーム中のリソースブロック（ＲＢ）のインターレースに割り当てられ得る。
【０００８】
[0008]いくつかの例では、ワイヤレス通信のための方法について説明する。一例では、本方法は、１つまたは複数のアップリンクチャネル上で送信されるべきデータを備えるデータストリームを取得することと、１つまたは複数のアップリンクチャネルの各々が、共有無線周波数スペクトル帯域を介したアップリンク送信のためのいくつかの割り当てられたインターレースを備える、ここで、いくつかの割り当てられたインターレースの各々が、共有無線周波数スペクトル帯域の１つまたは複数のリソースブロックを備える、いくつかの割り当てられたインターレースのための１つまたは複数の多重分離されたデータストリームを与えるためにデータストリームを多重分離することと、いくつかの割り当てられたインターレースに関連する複数のリソース要素に１つまたは複数の多重分離されたデータストリームのうちの少なくとも１つをマッピングすることとを含み得る。
【０００９】
[0009]いくつかの例では、ワイヤレス通信のための装置について説明する。一例では、本装置は、１つまたは複数のアップリンクチャネル上で送信されるべきデータを備えるデータストリームを取得するための手段と、１つまたは複数のアップリンクチャネルの各々が、共有無線周波数スペクトル帯域を介したアップリンク送信のためのいくつかの割り当てられたインターレースを備える、ここで、いくつかの割り当てられたインターレースの各々が、共有無線周波数スペクトル帯域の１つまたは複数のリソースブロックを備える、いくつかの割り当てられたインターレースのための１つまたは複数の多重分離されたデータストリームを与えるためにデータストリームを多重分離するための手段と、いくつかの割り当てられたインターレースに関連する複数のリソース要素に１つまたは複数の多重分離されたデータストリームのうちの少なくとも１つをマッピングするための手段とを含み得る。
【００１０】
[0010]いくつかの例では、ワイヤレス通信のための別の装置について説明する。本装置は、たとえば、プロセッサと、プロセッサと電子通信しているメモリとを含み得る。本プロセッサと本メモリとは、１つまたは複数のアップリンクチャネル上で送信されるべきデータを備えるデータストリームを取得することと、１つまたは複数のアップリンクチャネルの各々が、共有無線周波数スペクトル帯域を介したアップリンク送信のためのいくつかの割り当てられたインターレースを備える、ここで、いくつかの割り当てられたインターレースの各々が、共有無線周波数スペクトル帯域の１つまたは複数のリソースブロックを備える、いくつかの割り当てられたインターレースのための１つまたは複数の多重分離されたデータストリームを与えるためにデータストリームを多重分離することと、いくつかの割り当てられたインターレースに関連する複数のリソース要素に１つまたは複数の多重分離されたデータストリームのうちの少なくとも１つをマッピングすることとを行うように構成され得る。
【００１１】
[0011]いくつかの例では、ワイヤレス通信のためのコンピュータ実行可能コードを記憶する非一時的コンピュータ可読媒体について説明する。一例では、本コードは、プロセッサによって、１つまたは複数のアップリンクチャネル上で送信されるべきデータを備えるデータストリームを取得することと、１つまたは複数のアップリンクチャネルの各々が、共有無線周波数スペクトル帯域を介したアップリンク送信のためのいくつかの割り当てられたインターレースを備える、ここで、いくつかの割り当てられたインターレースの各々が、共有無線周波数スペクトル帯域の１つまたは複数のリソースブロックを備える、いくつかの割り当てられたインターレースのために１つまたは複数の多重分離されたデータストリームを与えるためにデータストリームを多重分離することと、いくつかの割り当てられたインターレースに関連する複数のリソース要素に１つまたは複数の多重分離されたデータストリームのうちの少なくとも１つをマッピングすることとを行うために実行可能であり得る。
【００１２】
[0012]上記で説明した方法、装置、または非一時的コンピュータ可読媒体のいくつかの例では、いくつかの割り当てられたインターレースの各々は、共有無線周波数スペクトル帯域の複数の不連続リソースブロックまたは連続リソースブロックを含み得る。いくつかの例では、いくつかの割り当てられたインターレースの各々は、共有無線周波数スペクトル帯域の複数のリソースブロックを含み得、ここで、複数のリソースブロックの第１のサブセットは連続であり、複数のリソースブロックの第２のサブセットは不連続である。いくつかの例では、１つまたは複数のアップリンクチャネルは、物理アップリンク共有チャネル（ＰＵＳＣＨ）を含み得る。たとえば、ＰＵＳＣＨのためのいくつかの割り当てられたインターレースの１つまたは複数のリソースブロックは、非隣接リソースブロックを含むことができ、別個の多重分離されたデータストリームは、非隣接リソースブロックの各リソースブロックにマッピングされ得る。いくつかの例では、ＰＵＳＣＨのためのいくつかの割り当てられたインターレースの１つまたは複数のリソースブロックは、少なくとも２つの隣接リソースブロックを含むことができ、１つまたは複数の多重分離されたデータストリームは、少なくとも２つの隣接リソースブロックの各リソースブロックにマッピングされ得る。複数のリソース要素は、いくつかの例では、シングルキャリア周波数分割多元接続（ＳＣ−ＦＤＭＡ：single carrier frequency division multiple access）技法を使用して送信され得る。いくつかの例では、上記で説明した方法、装置、または非一時的コンピュータ可読媒体は、さらに、多重分離されたデータストリームごとに離散フーリエ変換（ＤＦＴ：discrete Fourier transform）を実行するためのプロセス、特徴、手段、またはコードを含み得る。
【００１３】
[0013]上記で説明した方法、装置、または非一時的コンピュータ可読媒体のいくつかの例では、複数のリソース要素は、直交周波数分割多元接続（ＯＦＤＭＡ：orthogonal frequency division multiple access）技法を使用して送信され得る。上記で説明した方法、装置、または非一時的コンピュータ可読媒体のいくつかの例では、マッピングは、１つまたは複数の多重分離されたデータストリームのうちの少なくとも１つを、隣接する割り当てられたインターレースの各クラスタに関連する複数のリソース要素にマッピングすることを含み得る。
【００１４】
[0014]上記で説明した方法、装置、または非一時的コンピュータ可読媒体のいくつかの例では、１つまたは複数のアップリンクチャネルは、物理アップリンク制御チャネル（ＰＵＣＣＨ）を含み得る。方法、装置、または非一時的コンピュータ可読媒体のうちのいくつかは、さらに、１つまたは複数の多重分離されたデータストリームのうちの少なくとも１つのためにＤＦＴを実行するためのプロセス、特徴、手段、またはコードを含み得る。方法、装置、または非一時的コンピュータ可読媒体は、さらに、いくつかの例では、ＰＵＣＣＨ上で送信されるべきデータのペイロードサイズを決定することと、ペイロードサイズに基づいて選択された符号化方式を使用して送信されるべきデータを符号化することとを行うためのプロセス、特徴、手段、またはコードを含み得る。これらの例では、データを符号化するためのプロセス、特徴、手段、またはコードは、ペイロードサイズのしきい値に少なくとも部分的に基づいてデータを符号化する符号化方式を選択するためのプロセス、特徴、手段、またはコードを含み得る。いくつかの例では、方法、装置、または非一時的コンピュータ可読媒体は、さらに、ＰＵＣＣＨのためのいくつかの割り当てられたインターレースに少なくとも部分的に基づいて符号化されたデータをレートマッチングするためのプロセス、特徴、手段、またはコードを含み得る。方法、装置、または非一時的コンピュータ可読媒体は、さらに、いくつかの例では、レートマッチングされた符号化されたデータをインターリーブするためのプロセス、特徴、手段、またはコードを含み得る。いくつかの例では、方法、装置、または非一時的コンピュータ可読媒体は、さらに、インターリーブされレートマッチングされた符号化されたデータをスクランブルするためのプロセス、特徴、手段、またはコードを含み得る。いくつかの例では、方法、装置、または非一時的コンピュータ可読媒体は、さらに、拡散シーケンスを使用して１つまたは複数の多重分離されたデータストリームの各々を拡散するためのプロセス、特徴、手段、またはコードを含み得る。いくつかの例では、方法、装置、または非一時的コンピュータ可読媒体は、さらに、基準信号で１つまたは複数の多重分離されたデータストリームの各々を多重化するためのプロセス、特徴、手段、またはコードを含み得る。
【００１５】
[0015]上記で説明した方法、装置、または非一時的コンピュータ可読媒体のいくつかの例では、１つまたは複数のアップリンクチャネルは、物理ランダムアクセスチャネル（ＰＲＡＣＨ）を含み得る。これらの例では、上記で説明した方法、装置、または非一時的コンピュータ可読媒体は、さらに、ランダムアクセス要求のためのいくつかの割り当てられたインターレースのサブセットを選択することと、いくつかの割り当てられたインターレースの選択されたサブセットのためのデータストリームに送信されるべきデータを符号化することとを行うためのプロセス、特徴、手段、またはコードを含み得る。方法、装置、または非一時的コンピュータ可読媒体は、さらに、いくつかの例では、ＰＲＡＣＨへのいくつかの割り当てられたインターレースに少なくとも部分的に基づいて符号化されたデータをレートマッチングするためのプロセス、特徴、手段、またはコードを含み得る。いくつかの例では、方法、装置、または非一時的コンピュータ可読媒体は、さらに、レートマッチングされた符号化されたデータをインターリーブするためのプロセス、特徴、手段、またはコードを含み得る。いくつかの例では、方法、装置、または非一時的コンピュータ可読媒体は、さらに、インターリーブされレートマッチングされた符号化されたデータをスクランブルするためのプロセス、特徴、手段、またはコードを含み得る。方法、装置、または非一時的コンピュータ可読媒体のいくつかの例としては、いくつかの割り当てられたインターレースの各々のための１つまたは複数の多重分離されたデータストリームの各々を拡散することと、１つまたは複数の多重分離されたデータストリームの各々のためにＤＦＴを実行することを行うためのプロセス、特徴、手段、またはコードを含み得る。いくつかの例では、方法、装置、または非一時的コンピュータ可読媒体は、基準信号でいくつかの割り当てられたインターレースの各々のための１つまたは複数の多重分離されたデータストリームの各々を多重化するためのプロセス、特徴、手段、またはコードを含み得る。
【００１６】
[0016]上記で説明した方法、装置、または非一時的コンピュータ可読媒体のいくつかの例では、１つまたは複数のアップリンクチャネルは、ＰＵＣＣＨと、ＰＵＳＣＨと、ＰＲＡＣＨとを含み、いくつかの例では、ＰＵＣＣＨ、ＰＵＳＣＨ、およびＰＲＡＣＨの各々は、割り当てられたインターレースの１つまたは複数のクラスタを含む。いくつかの例では、割り当てられたインターレースの１つまたは複数のクラスタの各々は、ＰＵＣＣＨ、ＰＵＳＣＨ、またはＰＲＡＣＨのうちの１つのためのいくつかの割り当てられたインターレースを含み得る。上記で説明した方法、装置、または非一時的コンピュータ可読媒体のいくつかの例では、ＰＵＣＣＨは、無線フレームの第１のアップリンクサブフレーム中に割り当てられたインターレースの１つまたは複数のクラスタを含み得る。上記で説明した方法、装置、または非一時的コンピュータ可読媒体のいくつかの例では、ＰＲＡＣＨは、無線フレームの第１のアップリンクサブフレーム中に割り当てられたインターレースの１つまたは複数のクラスタを含み得る。上記で説明した方法、装置、または非一時的コンピュータ可読媒体のいくつかの例では、ＰＵＳＣＨは、無線フレームの第１のアップリンクサブフレーム中の割り当てられたインターレースのクラスタの第１のサブセットと無線フレームの後続のアップリンクサブフレームのための割り当てられたインターレースのクラスタの第２のサブセットとを含み、割り当てられたインターレースのクラスタの第２のサブセットは、割り当てられたインターレースのクラスタの第１のサブセットとは異なる数の、割り当てられたインターレースのクラスタを有し得る。上記で説明した方法、装置、または非一時的コンピュータ可読媒体のいくつかの例では、割り当てられたインターレースのクラスタの第１のサブセットと割り当てられたインターレースのクラスタの第２のサブセットとのために利用可能なクラスタは、基地局から受信された制御シグナリングに基づいて決定され得る。
【００１７】
[0017]上記では、以下の発明を実施するための形態がより良く理解され得るように、本開示による例の特徴および技術的利点をかなり広範に概説した。追加の特徴および利点が以下で説明される。開示される概念および具体例は、本開示の同じ目的を実施するための他の構造を修正または設計するための基礎として容易に利用され得る。そのような等価な構成は、添付の特許請求の範囲から逸脱しない。本明細書で開示される概念の特徴、それらの構成と動作の方法の両方は、関連する利点と一緒に、添付の図にとともに考慮されると、以下の説明からより良く理解されよう。図の各々は、例示および説明のみのために提供されるものであり、特許請求の範囲の限定の定義として提供されるものではない。
【００１８】
[0018]本開示の性質および利点のより一層の理解は、以下の図面を参照することによって実現され得る。添付の図では、同様の構成要素または特徴は、同一の参照符号を有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれか１つに適用可能である。
【図面の簡単な説明】
【００１９】
【図１】[0019]本開示の様々な態様による、ワイヤレス通信システムのブロック図。
【図２】[0020]本開示の様々な態様による、無認可無線周波数スペクトル帯域においてＬＴＥ（登録商標）を使用するための展開シナリオの例を示す図。
【図３】[0021]本開示の様々な態様による、サブフレームと物理アップリンク共有チャネル（ＰＵＳＣＨ）のリソースブロック（ＲＢ）の関連するワイヤレスリソースとの一例を示す図。
【図４】[0022]本開示の様々な態様による、ワイヤレス通信において使用するための装置のブロック図。
【図５】[0023]本開示の様々な態様による、ワイヤレス通信において使用するための装置のブロック図。
【図６】[0024]本開示の様々な態様による、ワイヤレス通信において使用するための装置のブロック図。
【図７】[0025]本開示の様々な態様による、サブフレームと物理アップリンク共有チャネル（ＰＵＳＣＨ）のリソースブロックの関連するワイヤレスリソースとの一例を示す図。
【図８】[0026]本開示の様々な態様による、ワイヤレス通信において使用するための装置のブロック図。
【図９】[0027]本開示の様々な態様による、サブフレームと物理アップリンク制御チャネル（ＰＵＣＣＨ）のリソースブロックの関連するワイヤレスリソースとの一例を示す図。
【図１０】[0028]本開示の様々な態様による、ワイヤレス通信において使用するための装置のブロック図。
【図１１】[0029]本開示の様々な態様による、サブフレームと物理ランダムアクセスチャネル（ＰＲＡＣＨ）のリソースブロックの関連するワイヤレスリソースとの一例を示す図。
【図１２】[0030]本開示の様々な態様による、ワイヤレス通信において使用するための装置のブロック図。
【図１３】[0031]本開示の様々な態様による、ワイヤレス通信において使用するための装置のブロック図。
【図１４】[0032]本開示の様々な態様による、ワイヤレス通信において使用するためのシステムを示す図。
【図１５】[0033]本開示の様々な態様による、ワイヤレス通信のための方法の一例を示すフローチャート。
【図１６】[0034]本開示の様々な態様による、ワイヤレス通信のための方法の一例を示すフローチャート。
【図１７】[0035]本開示の様々な態様による、ワイヤレス通信のための方法の一例を示すフローチャート。
【発明を実施するための形態】
【００２０】
[0036]共有無線周波数スペクトル帯域がワイヤレス通信システムを介した通信の少なくとも一部分のために使用される技法について説明する。いくつかの例では、共有無線周波数スペクトル帯域は、ロングタームエボリューション（ＬＴＥ）／ＬＴＥアドバンスト（ＬＴＥ−Ａ）通信のために使用され得る。共有無線周波数スペクトル帯域は、専用無線周波数スペクトル帯域と組み合わせて、または専用無線周波数スペクトル帯域とは無関係に使用され得る。専用無線周波数スペクトル帯域は、無線周波数スペクトル帯域がいく人かのユーザに認可されるので送信装置がアクセスを求めて競合しない無線周波数スペクトル帯域であり得る（たとえば、ＬＴＥ／ＬＴＥ−Ａ通信のために使用可能な認可無線周波数スペクトル帯域）。共有無線周波数スペクトル帯域は、デバイスがアクセスを求めて競合する必要があり得る無線周波数スペクトル帯域（たとえば、Ｗｉ−Ｆｉ（登録商標）使用などの無認可使用のために利用可能である無線周波数スペクトル帯域または等しく共有されるかまたは優先順位を付けられた方式で複数の事業者が使用するために利用可能である無線周波数スペクトル帯域）であり得る。
【００２１】
[0037]無認可無線周波数スペクトル帯域（たとえば、ＬＴＥ／ＬＴＥ−Ａおよび／または他の送信プロトコルの下で動作する装置と共有される無線周波数スペクトル帯域）においてＬＴＥおよび／またはＬＴＥ−Ａアップリンク送信を行うときに、無認可無線周波数スペクトル帯域の利用可能な帯域幅の一部（たとえば、少なくとも８０パーセント（８０％））をアップリンク送信が占有するような方式でＬＴＥ／ＬＴＥ−Ａアップリンク送信を行うことが望ましいことがある。所望の帯域幅占有を達成するための１つの方法は、リソースブロック（ＲＢ）の１つまたは複数のインターレースにわたってＬＴＥ／ＬＴＥ−Ａアップリンク送信を行うことである。リソースブロック（ＲＢ）のインターレースは、１つまたは複数の連続リソースブロックまたは不連続リソースブロックを含み得る。１つまたは複数の連続リソースブロックまたは不連続リソースブロックは、リソースブロックが共有無線周波数スペクトル帯域の利用可能な帯域幅の少なくとも所望の割合（たとえば、８０％）に及ぶような方式で選択され得る。共有無線周波数スペクトル帯域および無認可無線周波数スペクトル帯域という用語は、本明細書では互換的に使用され、１つまたは複数の無認可無線周波数スペクトル帯域、１つまたは複数の認証共有アクセス（ＡＳＡ：authorized shared access）無線周波数スペクトル帯域、および／または上記で説明したようなチャネル占有を有するリッスンビフォアトーク（ＬＢＴ）アクセス方式を採用し得る１つまたは複数の無線周波数帯域を含み得る無線周波数スペクトル帯域を指すことがある。
【００２２】
[0038]いくつかの例では、アップリンクリソースは、ＵＥのアップリンク送信において使用するために割り当てられ得る。そのような割り当てられたアップリンクリソースは、ＲＢのいくつかの割り当てられたインターレースを備えるアップリンクチャネルを含み得、着信データストリームは、処理され、ユーザ機器（ＵＥ）のためのＲＢの割り当てられたインターレースの各々にデータ分離され得る。ＵＥは、たとえば、ＲＢの割り当てられたインターレースについてのデータを取得するためにデータストリームを多重分離し得、多重分離されたデータは、共有無線周波数スペクトル帯域を使用した送信より前に、ＲＢの割り当てられたインターレースに関連するリソース要素にマッピングされ得る。
【００２３】
[0039]いくつかの例では、ＲＢの割り当てられたインターレースに関連するリソース要素へのマッピングに続いて、たとえば、逆高速フーリエ変換（ＩＦＦＴ）およびハーフトーンシフトなどの追加のアップリンク処理が実行され得、信号が送信され得る。いくつかの例では、物理アップリンク制御チャネル（ＰＵＣＣＨ）、物理アップリンク共有チャネル（ＰＵＳＣＨ）および／または物理ランダムアクセスチャネル（ＰＲＡＣＨ）などの異なるタイプのアップリンクチャネルは、送信された無線フレームの１つまたは複数のサブフレーム中のＲＢのインターレースに割り当てられ得る。いくつかの例では、ＰＲＡＣＨを使用して送信されるデータは、Ｚａｄｏｆｆ−Ｃｈｕ拡散技法などの拡散技法と、別の送信機によって送信されるデータとの衝突の可能性を低減するために拡散技法によって決定されるリソースを使用して送信されるデータとに従ってＲＢの割り当てられたインターレース上で拡散され得る。
【００２４】
[0040]以下の説明は例を与えるものであり、特許請求の範囲に記載される範囲、適用可能性、または例を限定するものではない。本開示の範囲から逸脱することなく、説明する要素の機能および構成において変更が行われ得る。様々な例が、適宜に、様々な手順または構成要素を省略、置換、または追加し得る。たとえば、説明する方法は、説明する順序とは異なる順序で実行され得、様々なステップが追加、省略、または組み合わせられ得る。また、いくつかの例に関して説明される特徴は、他の例では組み合わせられ得る。さらに、例の多くをアップリンク送信に関して説明したが、本明細書で説明するような技法は、当業者にはたやすく理解されるように、同様の方法でダウンリンク送信において使用され得る。
【００２５】
[0041]図１に、本開示の様々な態様による、ワイヤレス通信システム１００のブロック図を示す。ワイヤレス通信システム１００は、基地局１０５と、ＵＥ１１５と、コアネットワーク１３０とを含む。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通してコアネットワーク１３０とインターフェースし、ＵＥ１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して互いと直接または間接的に（たとえば、コアネットワーク１３０を通して）通信し得る。
【００２６】
[0042]基地局１０５は、１つまたは複数の基地局アンテナを介してＵＥ１１５とワイヤレス通信し得る。基地局１０５の各々は、それぞれの地理的カバレージエリア１１０に通信カバレージを提供し得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分を構成するセクタに分割され得る（図示せず）。ワイヤレス通信システム１００は、異なるタイプの基地局１０５（たとえば、マクロセル基地局またはスモールセル基地局）を含み得る。異なる技術のための重複する地理的カバレージエリア１１０があり得る。基地局１０５はまた、セルラーおよび／またはワイヤレスローカルエリアネットワーク（ＷＬＡＮ）無線アクセス技術などの異なる無線技術を利用し得る。基地局１０５は、同じまたは異なるアクセスネットワークまたは事業者展開に関連付けられ得る。
【００２７】
[0043]いくつかの例では、ワイヤレス通信システム１００はＬＴＥ／ＬＴＥ−Ａネットワークである。ＬＴＥ／ＬＴＥ−Ａネットワークでは、発展型ノードＢ（ｅＮＢ）という用語は、基地局１０５を説明するために使用され得、一方、ＵＥという用語は、ＵＥ１１５を説明するために使用され得る。ワイヤレス通信システム１００は、異なるタイプのｅＮＢが様々な地理的領域にカバレージを提供する、異種ＬＴＥ／ＬＴＥ−Ａネットワークであり得る。たとえば、各ｅＮＢまたは基地局１０５は、マクロセル、スモールセル、および／または他のタイプのセルに通信カバレージを与え得る。「セル」という用語は、コンテキストに応じて、基地局、基地局に関連するキャリアもしくはコンポーネントキャリア、またはキャリアもしくは基地局のカバレージエリア（たとえば、セクタなど）を表すために使用され得る３ＧＰＰ（登録商標）用語である。
【００２８】
[0044]マクロセルは、比較的大きい地理的エリア（たとえば、半径数キロメートル）をカバーし得、ネットワークプロバイダのサービスに加入しているＵＥによる無制限アクセスを可能にし得る。スモールセルは、マクロセルと比較して、同じまたは異なる（たとえば、認可、無認可などの）無線周波数スペクトル帯域内でマクロセルとして動作し得る低電力基地局である。スモールセルは、様々な例によれば、ピコセルとフェムトセルとマイクロセルとを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００２９】
[0045]ワイヤレス通信システム１００は同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明する技法は、同期動作または非同期動作のいずれかのために使用され得る。
【００３０】
[0046]様々な開示される例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ：Radio Link Control）レイヤが、論理チャネルを介して通信するためにパケットセグメンテーションおよびリアセンブリを実行し得る。媒体アクセス制御（ＭＡＣ：Medium Access Control）レイヤが、優先度ハンドリングと、トランスポートチャネルへの論理チャネルの多重化とを実行し得る。ＭＡＣレイヤはまた、リンク効率を改善するために、ＭＡＣレイヤにおいて再送信を行うためにハイブリッド自動再送要求（ＨＡＲＱ）を使用し得る。制御プレーンでは、無線リソース制御（ＲＲＣ：Radio Resource Control）プロトコルレイヤが、ユーザプレーンデータのための無線ベアラをサポートする、ＵＥ１１５と基地局１０５またはコアネットワーク１３０との間のＲＲＣ接続の確立と構成と保守とを行い得る。物理（ＰＨＹ）レイヤにおいて、トランスポートチャネルは物理チャネルにマッピングされ得る。
【００３１】
[0047]ＵＥ１１５はワイヤレス通信システム１００全体にわたって分散され、各ＵＥ１１５は固定またはモバイルであり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語を含むか、またはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥ１１５は、マクロｅＮＢ、スモールセルｅＮＢ、リレー基地局などを含む、様々なタイプの基地局１０５およびネットワーク機器と通信することが可能であり得る。ＵＥ１１５はまた、セルラーまたは他のワイヤレスワイドエリアネットワーク（ＷＷＡＮ）、あるいはＷＬＡＮなどの異なるアクセスネットワークを介して通信することが可能であり得る。
【００３２】
[0048]ワイヤレス通信システム１００に示された通信リンク１２５は、ＵＥ１１５から基地局１０５へのアップリンク（ＵＬ）送信、および／または基地局１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。ダウンリンク送信は、認可無線周波数スペクトル帯域、無認可無線周波数スペクトル帯域、または両方を使用して行われ得る。同様に、アップリンク送信は、認可無線周波数スペクトル帯域、無認可無線周波数スペクトル帯域、または両方を使用して行われ得る。通信リンク１２５の各々は、１つまたは複数のキャリアを含み得、ここで、各キャリアは、上記で説明した様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、（たとえば、対スペクトルリソースを使用する）周波数分割複信（ＦＤＤ）または（たとえば、不対スペクトルリソースを使用する）時分割複信（ＴＤＤ）動作を使用して、双方向通信を送信し得る。ＦＤＤのためのフレーム構造（たとえば、フレーム構造タイプ１）とＴＤＤのためのフレーム構造（たとえば、フレーム構造タイプ２）とが定義され得る。
【００３３】
[0049]ワイヤレス通信システム１００のいくつかの例では、基地局１０５および／またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５および／またはＵＥ１１５は、同じまたは異なるコード化データを搬送する複数の空間レイヤを送信するために、マルチパス環境を利用し得る多入力多出力（ＭＩＭＯ）技法を採用し得る。
【００３４】
[0050]ワイヤレス通信システム１００は、複数のセルまたはキャリア上での動作、すなわち、キャリアアグリゲーション（ＣＡ：carrier aggregation）またはマルチキャリア動作と呼ばれることがある機能をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用されることがある。ＵＥ１１５は、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００３５】
[0051]ワイヤレス通信システム１００のいくつかの例では、無認可無線周波数スペクトル帯域におけるＬＴＥ／ＬＴＥ−Ａのための様々な展開シナリオは、認可無線周波数スペクトル帯域におけるＬＴＥ／ＬＴＥ−Ａダウンリンク容量が共有無線周波数スペクトル帯域へオフロードされ得る補助ダウンリンクモードと、ＬＴＥ／ＬＴＥ−Ａダウンリンク容量とＬＴＥ／ＬＴＥ−Ａアップリンク容量の両方が認可無線周波数スペクトル帯域から共有無線周波数スペクトル帯域へオフロードされ得るキャリアアグリゲーションモードと、基地局１０５とＵＥ１１５との間のＬＴＥ／ＬＴＥ−Ａダウンリンク通信およびＬＴＥ／ＬＴＥ−Ａアップリンク通信が共有無線周波数スペクトル帯域において行われ得るスタンドアロンモードとを含めてサポートされ得る。基地局１０５ならびにＵＥ１１５は、これらまたは同様の動作モードのうちの１つまたは複数をサポートし得る。ＯＦＤＭＡ通信信号は、無認可無線周波数スペクトル帯域および／または認可無線周波数スペクトル帯域中のＬＴＥ／ＬＴＥ−Ａダウンリンク送信のために通信リンク１２５中で使用され得るが、一方、シングルキャリア周波数分割多元接続（ＳＣ−ＦＤＭＡ）またはＯＦＤＭＡ通信信号は、無認可無線周波数スペクトル帯域および／または認可無線周波数スペクトル帯域中のＬＴＥ／ＬＴＥ−Ａアップリンク送信のために通信リンク１２５中で使用され得る。
【００３６】
[0052]図２に、本開示の様々な態様による、無認可無線周波数スペクトル帯域においてＬＴＥを使用するための展開シナリオの例を示す図を示す。一例では、図２に、共有無線周波数スペクトル帯域を使用する展開をサポートするＬＴＥ／ＬＴＥ−Ａネットワークのための補助ダウンリンクモード、キャリアアグリゲーションモード、およびスタンドアロンモードの例を示すワイヤレス通信システム２００を示す。ワイヤレス通信システム２００は、図１のワイヤレス通信システム１００の部分の一例であり得る。さらに、基地局２０５および２０５−ａは、図１の基地局１０５の例であり得、一方、ＵＥ２１５、２１５−ａ、２１５−ｂ、および２１５−ｃは、図１のＵＥ１１５の例であり得る。
【００３７】
[0053]ワイヤレス通信システム２００における補助ダウンリンクモードの例では、基地局２０５は、ダウンリンク２２０を使用してＵＥ２１５にＯＦＤＭＡ通信信号を送信し得る。ダウンリンク２２０は、共有無線周波数スペクトル帯域において周波数Ｆ１に関連付けられ得る。基地局２０５は、双方向リンク２２５を使用して同じＵＥ２１５にＯＦＤＭＡ通信信号を送信し得、双方向リンク２２５を使用してそのＵＥ２１５からＳＣ−ＦＤＭＡ通信信号を受信し得る。双方向リンク２２５は、認可無線周波数スペクトル帯域の中の周波数Ｆ４に関連付けられ得る。無認可無線周波数スペクトル帯域の中のダウンリンク２２０および認可無線周波数スペクトル帯域の中の双方向リンク２２５は、同時に動作し得る。ダウンリンク２２０は、基地局２０５にダウンリンク容量のオフロードを与え得る。いくつかの例では、ダウンリンク２２０は、（たとえば、１つのＵＥにアドレス指定された）ユニキャストサービスのサービスのために使用され、または（たとえば、いくつかのＵＥにアドレス指定された）マルチキャストサービスのために使用され得る。このシナリオは、認可無線周波数スペクトル帯域を使用し、トラフィックおよび／またはシグナリング輻輳の一部を軽減したいと望む、任意のサービスプロバイダ（たとえば、従来のモバイルネットワーク事業者（ＭＮＯ））に対して生じ得る。
【００３８】
[0054]ワイヤレス通信システム２００におけるキャリアアグリゲーションモードの一例では、基地局２０５は、双方向リンク２３０を使用してＵＥ２１５−ａにＯＦＤＭＡ通信信号を送信し得、双方向リンク２３０を使用して同じＵＥ２１５−ａからＳＣ−ＦＤＭＡまたはＯＦＤＭＡ通信信号を受信し得る。双方向リンク２３０は、無認可無線周波数スペクトル帯域の中の周波数Ｆ１に関連付けられ得る。基地局２０５はまた、ＯＦＤＭＡ通信信号を同じＵＥ２１５−ａへ双方向リンク２３５を使用して送信し得、ＳＣ−ＦＤＭＡ通信信号を同じＵＥ２１５−ａから双方向リンク２３５を使用して受信し得る。双方向リンク２３５は、認可無線周波数スペクトル帯域の中の周波数Ｆ２に関連付けられ得る。双方向リンク２３０は、基地局２０５にダウンリンク容量およびアップリンク容量のオフロードを与え得る。上記で説明された補助ダウンリンクのように、このシナリオは、認可無線周波数スペクトル帯域を使用し、トラフィックおよび／またはシグナリングの輻輳の一部を緩和したいと望む、任意のサービスプロバイダ（たとえば、ＭＮＯ）に対して生じ得る。
【００３９】
[0055]ワイヤレス通信システム２００におけるキャリアアグリゲーションモードの別の例では、基地局２０５は、双方向リンク２４０を使用してＵＥ２１５−ｂにＯＦＤＭＡ通信信号を送信し得、双方向リンク２４０を使用して同じＵＥ２１５−ｂからＳＣ−ＦＤＭＡまたはＯＦＤＭＡ通信信号を受信し得る。双方向リンク２４０は、共有無線周波数スペクトル帯域の中の周波数Ｆ３に関連付けられ得る。基地局２０５はまた、双方向リンク２４５を使用して同じＵＥ２１５−ｂにＯＦＤＭＡ通信信号を送信し得、双方向リンク２４５を使用して同じＵＥ２１５−ｂからＳＣ−ＦＤＭＡ通信信号を受信し得る。双方向リンク２４５は、認可無線周波数スペクトル帯域の中の周波数Ｆ２に関連付けられ得る。双方向リンク２４０は、基地局２０５にダウンリンク容量およびアップリンク容量のオフロードを与え得る。この例および上記で与えた例は、説明のために提示されたものであり、容量のオフロードのために認可無線周波数スペクトル帯域内のＬＴＥ／ＬＴＥ−Ａと無認可無線周波数スペクトル帯域内のＬＴＥ／ＬＴＥ−Ａを組み合わせる、他の同様の動作モードまたは展開シナリオがあり得る。
【００４０】
[0056]上記で説明したように、無認可無線周波数スペクトル帯域においてＬＴＥ／ＬＴＥ−Ａを使用することによって提供される容量オフロードから恩恵を受け得るサービスプロバイダは、ＬＴＥ／ＬＴＥ−Ａ無線周波数スペクトル帯域を用いる従来のＭＮＯであり得る。これらのサービスプロバイダにとって、例としては、認可無線周波数スペクトル帯域上のＬＴＥ／ＬＴＥ−Ａ１次コンポーネントキャリア（ＰＣＣ）と無認可無線周波数スペクトル帯域上の２次コンポーネントキャリア（ＳＣＣ）とを使用するブートストラップモード（たとえば、補助ダウンリンク、キャリアアグリゲーション）があり得る。
【００４１】
[0057]キャリアアグリゲーションモードでは、データおよび制御は、認可無線周波数スペクトル帯域の中で（たとえば、双方向リンク２２５、２３５、および２４５など）通信され得、データは、無認可無線周波数スペクトル帯域の中で（たとえば、双方向リンク２３０および２４０）通信され得る。無認可無線周波数スペクトル帯域を使用するときにサポートされるキャリアアグリゲーション機構は、ハイブリッドＦＤＤ−ＴＤＤキャリアアグリゲーション、またはコンポーネントキャリアにわたって異なる対称性を伴うＴＤＤ−ＴＤＤキャリアアグリゲーションの分類に入り得る。
【００４２】
[0058]図２に、同じく、スタンドアロンモードでＵＥ２１５−ｃと通信し得る基地局２０５−ａの一例を示す。この例では、基地局２０５−ａは、ＯＦＤＭＡ通信信号をＵＥ２１５−ａに双方向リンク２５０を使用して送信し得、ＳＣ−ＦＤＭＡまたはＯＦＤＭＡ通信信号をＵＥ２１５−ｃから双方向リンク２５０を使用して受信し得る。双方向リンク２５０は、上記で説明した共有無線周波数スペクトル帯域の中の周波数Ｆ３に関連付けられ得る。スタンドアロンモードは、たとえば、スタジアム内アクセス（たとえば、ユニキャスト、マルチキャスト）などの非従来型ワイヤレスアクセスシナリオにおいて使用され得る。この動作モードのためのサービスプロバイダの１つのタイプは、認可無線周波数スペクトル帯域を有しないスタジアム所有者、ケーブル会社、イベント主催者、ホテル、企業、または大企業であり得る。
【００４３】
[0059]いくつかの例では、図１を参照しながら説明した基地局１０５および／または図２を参照しながら説明した基地局２０５、あるいは図１を参照しながら説明したＵＥ１１５および／または図２を参照しながら説明したＵＥ２１５などの送信デバイスは、共有無線周波数スペクトル帯域のチャネルへの（たとえば、認可無線周波数帯域または無認可無線周波数スペクトル帯域の物理チャネルへの）アクセスを獲得するためにゲーティング間隔を使用し得る。ゲーティング間隔は、ＥＴＳＩ（ＥＮ３０１  ８９３）において指定されているＬＢＴプロトコルに基づくリッスンビフォアトーク（ＬＢＴ）プロトコルなどの競合ベースプロトコルの適用を定義し得る。ＬＢＴプロトコルの適用を定めるゲーティング間隔を使用するとき、ゲーティング間隔は、送信デバイスがクリアチャネルアセスメント（ＣＣＡ）をいつ実行すべきであるのかを示し得る。ＣＣＡの結果は、共有無認可無線周波数スペクトル帯域のチャネルが利用可能であるか使用中であるかを送信デバイスに示し得る。チャネルが利用可能である（たとえば、使用のために「クリア」である）ことをＣＣＡが示すとき、ゲーティング間隔は、あらかじめ定められた送信間隔の間など、送信デバイスがチャネルを使用することを許可し得る。チャネルが利用可能でない（たとえば、使用中または予約済みである）ことをＣＣＡが示すと、ゲーティング間隔は、送信デバイスが送信間隔の間にチャネルを使用するのを妨げ得る。
【００４４】
[0060]場合によっては、送信デバイスが、周期的にゲーティング間隔を生成し、周期的フレーム構造の少なくとも１つの境界とゲーティング間隔の少なくとも１つの境界を同期させることが有用であり得る。たとえば、共有無線周波数スペクトル帯域においてセルラーダウンリンクのための周期的なゲーティング間隔を生成し、セルラーダウンリンクに関連付けられた周期的なフレーム構造（たとえば、ＬＴＥ／ＬＴＥ−Ａ無線フレーム）の少なくとも１つの境界と周期的なゲーティング間隔の少なくとも１つの境界を同期させることが有用であり得る。上記で説明したように、本開示のいくつかの態様では、送信は、ＵＥ（たとえば、図１のＵＥ１１５および／または図２のＵＥ２１５）による使用のために割り当てられた１つまたは複数のインターレースを使用し得る。
【００４５】
[0061]図３に、本開示の様々な態様による、サブフレーム３０５と物理アップリンク共有チャネル（ＰＵＳＣＨ）のリソースブロック（ＲＢ）３３０の関連するワイヤレスリソースとの一例３００を示す。サブフレーム３０５は、たとえば、図１のＵＥ１１５および／または図２のＵＥ２１５などのＵＥからのアップリンク送信中で送信され得る。この例では、１ミリ秒のサブフレーム３０５は、いくつかのＲＢを含む。上述のように、無認可無線周波数スペクトル帯域においてＬＴＥ／ＬＴＥ−Ａアップリンク送信を行うときに、送信がコンポーネントキャリア（ＣＣ）システム帯域幅３１０の少なくとも８０％を占有することが望ましいことがある。
【００４６】
[0062]８０％の帯域幅占有を達成するための１つの方法は、ＣＣシステム帯域幅３１０に及ぶ複数のＲＢにわたるＬＴＥ／ＬＴＥ−Ａアップリンク送信を行うことである。これらの複数のＲＢは、ＲＢの第１のインターレース３１５、ＲＢの第２のインターレース３２０、およびＲＢの第３のインターレース３２５などのインターレースを構成する。インターレースは、ＣＣシステム帯域幅３１０全体にわたって拡散する複数のＲＢ３３０を含み得る。たとえば、２０ＭＨｚの帯域幅の場合、いくつかの展開では、１００個のＲＢ（たとえば、ＲＢ＃０〜ＲＢ９９）がある。いくつかの例では、ＲＢの第１のインターレース３１５は、ＲＢ＃０、１０、２０、．．．９０を含み得、ＲＢの第２のインターレース３２０は、ＲＢ＃１、１１、２１、．．．９１を含み得、以下同様である。アップリンク送信の場合の、図３に示すＲＢのインターレース３１５、３２０および３２５は、ＲＢ３３０が利用可能なＣＣシステム帯域幅３１０の少なくとも８０％に及ぶ送信中で送信されるような方式で割り当てられ得る。いくつかの例では、割り当てられたインターレースのうちの１つまたは複数が、いくつかのＲＢ３３０を含み得、ここで、ＲＢ３３０の第１のサブセットが連続であり、ＲＢ３３０の第２のサブセットが不連続である。
【００４７】
[0063]いくつかの例によれば、ＲＢ３３０などのＲＢの第１のインターレース３１５、ＲＢの第２のインターレース３２０、またはＲＢの第３のインターレース３２５の各リソースブロックは、アップリンクチャネル（たとえば、ＰＵＳＣＨ、ＰＵＣＣＨ、ＰＲＡＣＨなど）についてのデータを含み得る。図３の例では、ＲＢの第３のインターレース３２５は、ＰＵＳＣＨのための複数のＲＢ３３０を含み得る。図３に示すように、ＲＢ３３０の第４のシンボル３５０と第１１のシンボル３５１とは、ＰＵＳＣＨのための復調基準信号（ＤＭ−ＲＳ）リソース要素（ＲＥ）３４０を含み得、残りのシンボルは、データＲＥ３３５を含み得る。
【００４８】
[0064]図４に、本開示の様々な態様による、ワイヤレス通信において使用するための装置４０５のブロック図４００を示す。いくつかの例では、装置４０５は、図１を参照しながら説明したＵＥ１１５および／または図２を参照しながら説明したＵＥ２１５のうちの１つの１つまたは複数の態様の一例であり得る。装置４０５はまたプロセッサであり得る。装置４０５は、データストリーム構成要素４１０、ワイヤレス通信管理構成要素４２０、および／または送信機構成要素４３０を含み得る。これらの構成要素の各々は、互いに通信していることがある。
【００４９】
[0065]装置４０５の構成要素は、適用可能な機能の一部または全部をハードウェアで実行するように適応された１つまたは複数の特定用途向け集積回路（ＡＳＩＣ）を使用して、個々にまたは集合的に実装され得る。代替的に、機能は、１つまたは複数の他の処理ユニット（またはコア）によって、１つまたは複数の集積回路上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。メモリは、オンボードメモリ、別個のメモリ、またはそれらの組合せであり得る。
【００５０】
[0066]いくつかの例では、データストリーム構成要素４１０は、（たとえば、ＭＡＣレイヤから）送信されるべきデータを与える１つまたは複数の処理構成要素であるか、またはそれを含み得る。いくつかの例では、送信機構成要素４３０は、第１の無線周波数（ＲＦ）スペクトル帯域および／または第２のＲＦスペクトル帯域において送信するように動作可能なＲＦ送信機などの、ＲＦ送信機であるか、またはそれを含み得る。送信機構成要素４３０は、たとえば、認可および／または無認可無線周波数スペクトル帯域を含むワイヤレス通信システムの１つまたは複数の通信リンクを介して、様々なタイプのデータおよび／または制御信号（すなわち、送信）を送信するために使用され得る。送信機構成要素４３０は、たとえば、図３のサブフレーム３０５を送信するために使用され得る。
【００５１】
[0067]いくつかの例では、ワイヤレス通信管理構成要素４２０は、データストリーム構成要素４１０からのデータの受信および／または送信機構成要素４３０を介したワイヤレス通信の送信を管理し得る。データがデータストリーム構成要素から受信されると、ワイヤレス通信管理構成要素４２０は、たとえば、送信のためにデータを準備するためにトランスポートブロック処理を実行し得る。
【００５２】
[0068]送信側では、例として、ワイヤレス通信管理構成要素４２０は、トランスポートブロック処理に続いてデータストリームの多重分離と、送信リソースへのデータストリームの一部または全部のデータのマッピング（たとえば、ＳＣ−ＦＤＭＡまたはＯＦＤＭＡ技法による送信のための送信リソースへのデータの階調マッピング）とを管理するために送信機構成要素４３０からの送信を管理し得る。場合によっては、ワイヤレス通信管理構成要素４２０は、多重分離されたデータストリームの離散フーリエ変換（ＤＦＴ）を実行し、得られた信号を１つまたは複数の割り当てられたインターレースに関連するリソースにマッピングし得る。他の場合には、ワイヤレス通信管理構成要素４２０は、インターレースのプリコーディングを管理し、および／あるいはビットまたは変調シンボルのストリームに関連する１つまたは複数の基準シンボルを送信するために使用されるパラメータを選択し得る。
【００５３】
[0069]図５に、本開示の様々な態様による、ワイヤレス通信において使用するための装置５０５のブロック図５００を示す。いくつかの例では、装置５０５は、図１を参照しながら説明したＵＥ１１５および／または図２を参照しながら説明したＵＥ２１５のうちの１つの１つまたは複数の態様の一例であり得る。いくつかの例では、装置５０５は、図４のワイヤレス通信管理構成要素４２０の一例であり得る。装置５０５はまたプロセッサであり得る。装置５０５は、トランスポートブロック処理構成要素５１０と、多重分離（ＤＥＭＵＸ）構成要素５１５と、いくつかのＤＦＴ構成要素ｓ５２０−１〜５２０−ｎと、ここで、ｎが１よりも大きい、マッピング構成要素５２５と、ＩＦＦＴ構成要素５３０と、ハーフトーンシフト構成要素５３５とを含み得る。これらの構成要素の各々は、互いに通信していることがある。
【００５４】
[0070]装置５０５の構成要素は、ハードウェアにおいて適用可能な機能の一部または全部を実行するように適応された１つまたは複数のＡＳＩＣを使用して、個々にまたは集合的に実装され得る。代替的に、機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。メモリは、オンボードメモリ、別個のメモリ、またはそれらの組合せであり得る。
【００５５】
[0071]トランスポートブロック処理構成要素５１０は、たとえば、データストリームの符号化、レートマッチング、スクランブル、および変調マッピング（たとえば、４位相シフトキーイング（ＱＰＳＫ））など、ＬＴＥ／ＬＴＥ−Ａシステムのためのトランスポートブロック処理機能を実行し得る。多重分離構成要素５１５は、アップリンク送信のために割り当てられたＲＢに従ってトランスポートブロック処理構成要素５１０からのデータストリームを多重分離し得る。たとえば、アップリンク送信は、いくつかの不連続ＲＢから構成される１つのインターレースを有し得、多重分離構成要素５１５は、インターレースのいくつかの割り当てられたＲＢのための１つまたは複数の多重分離されたデータストリームを与え得る。いくつかの例では、アップリンク送信は、２つ以上のインターレースを有し得、インターレースのうちのいくつかは、連続、たとえば、連続インターレース（たとえば、図３に示した、ＲＢの第１のインターレース３１５およびＲＢの第２のインターレース３２０および／またはＲＢの第３のインターレース３２５）であるＲＢを含み得る。そのような方法で、インターレースのクラスタは、図５においてクラスタ１〜クラスタｎとして非難するように、多重分離構成要素５１５から出力され得る。
【００５６】
[0072]この例における多重分離されたデータストリームは、ＤＦＴ構成要素ｓ５２０−１〜５２０−ｎに与えられ、これは、関連データストリームに対して離散フーリエ変換を実行し得る。たとえば、Ｎは、１よりも大きい整数であり得る。ＤＦＴ構成要素５２０1-nの数（Ｎ）は、アップリンク送信のための割り当てられたインターレースに少なくとも部分的に基づき得る。そのような離散フーリエ変換は、ＳＣ−ＦＤＭＡを使用した送信に備えて各データストリームを変換するために使用され得、変換されたデータストリームは、ＲＢのいくつかの割り当てられたインターレースの各々に関連するＲＥにデータストリームをマッピングし得るマッピング構成要素５２５に与えられ得る。割り当てられたインターレースの各々についてのＲＥへのデータストリームのマッピングに続いて、ＩＦＦＴ構成要素５３０は、データストリームに対して逆高速フーリエ変換を実行し、データストリームの周波数シフトをハーフトーンだけシフトし、送信機構成要素（たとえば、図４の送信機構成要素４３０）に出力を与え得るハーフトーンシフト構成要素５３５に変換されたデータストリームを与え得る。
【００５７】
[0073]上記で説明したように、いくつかの例では、割り当てられたインターレースは、連続ＲＢを含み得るいくつかの隣接する割り当てられたインターレースを含み得る。他の例では、割り当てられたインターレースは、いくつかの不連続ＲＢを含み得る。図６に、本開示の様々な態様による、ワイヤレス通信において使用するための装置６０５のブロック図６００を示す。いくつかの例では、装置６０５は、図１を参照しながら説明したＵＥ１１５および／または図２を参照しながら説明したＵＥ２１５のうちの１つの１つまたは複数の態様の一例であり得る。いくつかの例では、装置６０５は、図４のワイヤレス通信管理構成要素４２０の一例であり得、および／または図５の装置５０５の一例であり得る。装置６０５はまたプロセッサであり得る。装置６０５は、トランスポートブロック処理構成要素６１０と、多重分離（ＤＥＭＵＸ）構成要素６１５と、いくつかのＤＦＴ構成要素６２０−１〜６２０−ｎと、マッピング構成要素６２５と、ＩＦＦＴ構成要素６３０と、ハーフトーンシフト構成要素６３５とを含み得る。これらの構成要素の各々は、互いに通信していることがある。
【００５８】
[0074]装置６０５の構成要素は、ハードウェアにおいて適用可能な機能の一部または全部を実行するように適応された１つまたは複数のＡＳＩＣを使用して、個々にまたは集合的に実装され得る。代替的に、機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。メモリは、オンボードメモリ、別個のメモリ、またはそれらの組合せであり得る。
【００５９】
[0075]トランスポートブロック処理構成要素６１０は、図５に示したトランスポートブロック処理構成要素５１０に関して上記で説明したのと同様に、ＬＴＥ／ＬＴＥ−Ａシステムのためのトランスポートブロック処理機能を実行し得る。多重分離構成要素６１５は、アップリンク送信のために割り当てられたＲＢのインターレースに従ってトランスポートブロック処理構成要素６１０からのデータストリームを多重分離し得る。リソースブロックの割り当てられたインターレースが非連続ＲＢを含み得る場合、ＤＦＴ構成要素ｓ６２０−１〜６２０−ｎの各々は、ＲＢの各クラスタ内の非隣接ＲＢの各々に対してＤＦＴを実行し得るＤＦＴ副構成要素６４０を含み得る。したがって、クラスタ中のＲＢの各々は、非隣接の割り当てられたＲＢごとに別個の多重分離されたデータストリームを含み得る。ＲＢの割り当てられたインターレースが連続ＲＢを含み得る場合、ＤＦＴ構成要素６２０−１〜６２０−ｎの各々は、各クラスタ内の隣接ＲＢのためのＤＦＴを実行し得るＤＦＴ副構成要素６４０を含み得る。そのようなＤＦＴは、ＳＣ−ＦＤＭＡを使用した送信に備えて各データストリームを変換するために使用され得、変換されたデータストリームは、いくつかの割り当てられたインターレースＲＢの各々に関連するＲＥにデータストリームをマッピングし得るマッピング構成要素６２５に与えられ得る。割り当てられたインターレースの各々についてのＲＥへのデータストリームのマッピングに続いて、ＩＦＦＴ構成要素６３０は、データストリームに対してＩＦＦＴを実行し、周波数シフトザデータストリームをハーフトーンだけシフトし、送信機構成要素（たとえば、図４の送信機構成要素４３０）に出力を与え得るハーフトーンシフト構成要素６３５に変換されたデータストリームを与え得る。
【００６０】
[0076]図７に、本開示の様々な態様による、サブフレーム７０５と物理アップリンク共有チャネル（ＰＵＳＣＨ）のリソースブロック（ＲＢ）７３０の関連するワイヤレスリソースとの一例７００を示す。サブフレーム７０５は、たとえば、図１のＵＥ１１５および／または図２のＵＥ２１５などのＵＥからのアップリンク送信中で送信され得る。この例では、１ミリ秒のサブフレーム７０５は、コンポーネントキャリア（ＣＣ）システム帯域幅７１０に及ぶアップリンク送信リソースを与え得るいくつかのＲＢ７３０を含む。これらの複数のリソースブロックは、ＲＢの第１のインターレース７１５、ＲＢの第２のインターレース７２０、およびＲＢの第３のインターレース７２５などのインターレースを含み得る。いくつかの例では、ＲＢの第１のインターレース７１５は、ＰＵＣＣＨ送信のために使用され得、ＲＢの第２のインターレース７２０とＲＢの第３のインターレース７２５とは、ＰＵＳＣＨ送信のために使用され得る。上記で説明したのと同様に、アップリンク送信のためのＲＢの第１のインターレース７１５、ＲＢの第２のインターレース７２０、およびＲＢの第３のインターレース７２５などのＲＢ７３０は、送信中で送信されるＲＢ７３０が利用可能なＣＣシステム帯域幅７１０の少なくとも８０％に及ぶような方式で割り当てられ得る。
【００６１】
[0077]いくつかの例によれば、ＲＢ７３０などのＲＢの第１のインターレース７１５、ＲＢの第２のインターレース７２０、またはＲＢの第３のインターレース７２５の各リソースブロックは、アップリンクチャネル（たとえば、ＰＵＳＣＨ、ＰＵＣＣＨ、ＰＲＡＣＨなど）についてのデータを含み得る。図７の例では、ＲＢの第３のインターレース７２５は、ＰＵＳＣＨのための複数のＲＢ７３０を含み得る。いくつかの例では、アップリンク送信のためにＳＣ−ＦＤＭＡを使用するのではなく、ＵＥ（たとえば、図１のＵＥ１１５および／または図２のＵＥ２１５）、ＯＦＤＭＡがアップリンク送信のために使用され得る。ＵＥが、ＯＦＤＭＡアップリンク送信を送信することが可能である場合、ＯＦＤＭは、より高次の変調およびコーディング方式（ＭＣＳ）ならびにＭＩＭＯ送信のために使用され得る。そのような例では、ＵＥと基地局との間の送信は、対称的なダウンリンクおよびアップリンク波形を有することになる。図７に示すように、ＲＢ７３０の第６のシンボル７５０と、第７のシンボル７５１と、第１３のシンボル７５２と、第１４のシンボル７５３とは、ＰＵＳＣＨのためのＤＭ−ＲＳ  ＲＥ７４０を含み得、残りのシンボルは、データＲＥ７３５を含み得る。
【００６２】
[0078]図８に、本開示の様々な態様による、ワイヤレス通信において使用するための装置８０５のブロック図８００を示す。いくつかの例では、装置８０５は、図１を参照しながら説明したＵＥ１１５および／または図２を参照しながら説明したＵＥ２１５のうちの１つの１つまたは複数の態様の一例であり得る。いくつかの例では、装置８０５は、図４のワイヤレス通信管理構成要素４２０の一例であり得る。装置８０５はまたプロセッサであり得る。装置８０５は、トランスポートブロック処理構成要素８１０と、多重分離（ＤＥＭＵＸ）構成要素８１５と、マッピング構成要素８２５と、ＩＦＦＴ構成要素８３０と、ハーフトーンシフト構成要素８３５とを含み得る。これらの構成要素の各々は、互いに通信していることがある。
【００６３】
[0079]装置８０５の構成要素は、ハードウェアにおいて適用可能な機能の一部または全部を実行するように適応された１つまたは複数のＡＳＩＣを使用して、個々にまたは集合的に実装され得る。代替的に、機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。メモリは、オンボードメモリ、別個のメモリ、またはそれらの組合せであり得る。
【００６４】
[0080]トランスポートブロック処理構成要素８１０は、図５に示したトランスポートブロック処理構成要素５１０に関して上記で説明したのと同様に、ＬＴＥ／ＬＴＥ−Ａシステムのためのトランスポートブロック処理機能を実行し得る。多重分離構成要素８１５は、アップリンク送信のために割り当てられたＲＢに従ってトランスポートブロック処理構成要素８１０からのデータストリームを多重分離し得る。たとえば、アップリンク送信は、いくつかの不連続ＲＢから構成される、ＲＢの１つのインターレースを有し得、多重分離構成要素８１５は、いくつかの割り当てられたＲＢのための１つまたは複数の多重分離されたデータストリームを与え得る。いくつかの例では、アップリンク送信は、ＲＢの２つ以上のインターレースを有し得、ＲＢのインターレースのうちのいくつかは、連続、たとえば、ＲＢの連続インターレース（たとえば、図３に示した、ＲＢの第１のインターレース３１５およびＲＢの第２のインターレース３２０および／またはＲＢの第３のインターレース３２５）であるリソースブロックからなり得る。そのような方法で、インターレースのクラスタは、図８においてクラスタ１〜クラスタｎとして非難するように、多重分離構成要素８１５から出力され得る。
【００６５】
[0081]この例における多重分離されたデータストリームは、ＯＦＤＭＡアップリンク送信において使用されるべきデータストリームを含み得、アップリンク送信のためのいくつかの割り当てられたインターレースの各々に関連するＲＥにデータストリームをマッピングし得るマッピング構成要素８２５に与えられ得る。ＯＦＤＭＡ送信方式により、マッピングが多重分離された信号に対して直接行われ得るので、各クラスタは、別個のＤＦＴ機能を有する必要はなくてよい。割り当てられたインターレースの各々についてのＲＥへのデータストリームのマッピングに続いて、ＩＦＦＴ構成要素８３０は、データストリームに対して逆高速フーリエ変換を実行し、周波数シフトザデータストリームをハーフトーンだけシフトし、送信機構成要素（たとえば、図４の送信機構成要素４３０）に出力を与え得るハーフトーンシフト構成要素８３５に変換されたデータストリームを与え得る。
【００６６】
[0082]図９に、本開示の様々な態様による、サブフレーム９０５と物理アップリンク制御チャネル（ＰＵＣＣＨ）の第１のリソースブロック９３０および第２のリソースブロック９４５の関連するワイヤレスリソースとの一例９００を示す。サブフレーム９０５は、たとえば、図１のＵＥ１１５および／または図２のＵＥ２１５などのＵＥからのアップリンク送信中で送信され得る。この例では、１ミリ秒のサブフレーム９０５は、コンポーネントキャリア（ＣＣ）システム帯域幅９１０に及ぶアップリンク送信リソースを与え得るいくつかのＲＢを含む。これらの複数のリソースブロックは、ＲＢの第１のインターレース９１５、ＲＢの第２のインターレース９２０、およびＲＢの第３のインターレース９２５などのインターレースを含み得る。上記で説明したのと同様に、アップリンク送信のためのＲＢのインターレース９１５、９２０および９２５などのＲＢは、第１のリソースブロック９３０および第２のリソースブロック９４５などのリソースブロックが、利用可能なＣＣシステム帯域幅９１０の少なくとも８０％に及ぶ送信中で送信されるような方式で割り当てられ得る。
【００６７】
[0083]いくつかの例によれば、第１のリソースブロック９３０などのＲＢの第１のインターレース９１５、ＲＢの第２のインターレース９２０、またはＲＢの第３のインターレース９２５の各リソースブロックは、アップリンクチャネル（たとえば、ＰＵＣＣＨ）についてのデータを含み得る。図９の例では、ＲＢの第３のインターレース９２５は、ＬＴＥ／ＬＴＥ−Ａプロトコルによって定義されたＰＵＣＣＨフォーマット３と同様のフォーマットまたはＰＵＣＣＨフォーマット２／２ａ／２ｂと同様のフォーマットを有するＰＵＣＣＨの第１のリソースブロック９３０を含み得る。図９に示すように、第１のリソースブロック９３０の第２のシンボル９６０と、第６のシンボル９６１と、第９のシンボル９６２と、第１３のシンボル９６３とは、ＰＵＣＣＨのための基準信号（ＲＳ）ＲＥ９４０を含み得、残りのシンボルは、データＲＥ９３５を含み得る。
【００６８】
[0084]他の例では、ＲＢのインターレース９１５、９２０または９２５の各ＲＢ内は、ＬＴＥ／ＬＴＥ−Ａプロトコルによって定義されたＰＵＣＣＨフォーマット１ａまたは１ｂを有するデータを含み得る。図９に示すように、第２のリソースブロック９４５の第３のシンボル９７０と、第４のシンボル９７１と、第５のシンボル９７２と、第１０のシンボル９７３と、第１１のシンボル９７４と、第１２のシンボル９７５とは、ＰＵＣＣＨのためのＲＳ  ＲＥ９５０を含み得、残りのシンボルは、データＲＥ９５５を含み得る。
【００６９】
[0085]図１０に、本開示の様々な態様による、ワイヤレス通信において使用するための装置１００５のブロック図１０００を示す。いくつかの例では、装置１００５は、図１を参照しながら説明したＵＥ１１５および／または図２を参照しながら説明したＵＥ２１５のうちの１つの１つまたは複数の態様の一例であり得る。いくつかの例では、装置１００５は、図４のワイヤレス通信管理構成要素４２０の一例であり得る。装置１００５はまたプロセッサであり得る。
【００７０】
[0086]装置１００５の構成要素は、ハードウェアにおいて適用可能な機能の一部または全部を実行するように適応された１つまたは複数のＡＳＩＣを使用して、個々にまたは集合的に実装され得る。代替的に、機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。メモリは、オンボードメモリ、別個のメモリ、またはそれらの組合せであり得る。
【００７１】
[0087]装置１００５は、例では、ペイロードサイズｋを有するペイロードを受信し得る。いくつかの例では、ペイロードは、装置１００５において受信されたデータに関係する肯定応答および否定応答情報などの制御チャネルデータを含み得る。無認可無線周波数スペクトル帯域を利用する例では、無認可無線周波数スペクトル帯域が無認可無線周波数スペクトル帯域の他のユーザによって占有されるので、装置１００５が、複数のゲーティング期間の間にアップリンク送信を送信することができないことがあるので、装置１００５が、いくつかの異なる受信についてのそのような制御チャネルデータを累積し得ることが可能であり得る。いくつかの例では、装置１００５は、ペイロードのペイロードサイズを決定し、ペイロードサイズに基づいて符号化を実行し得る。
【００７２】
[0088]図１０の例では、ペイロードサイズｋがしきい値よりも大きいのかまたはそれ以下であるのかが決定される。ｋの値がしきい値よりも大きい場合、符号化は、第１の分岐１０１０に沿って進み得、ｋの値がしきい値以下である場合、符号化は、第２の分岐１０２５に沿って進み得る。図１０の例では、ペイロードサイズｋがしきい値よりも大きい場合、第１の分岐１０１０は、ペイロードのコンテンツに基づいてＣＲＣの値を計算し、ペイロードにＣＲＣ値を付加し得る巡回冗長検査（ＣＲＣ）構成要素１０１５を含み得る。データは、次いで、ＦＥＣ構成要素１０２０において、テールバイティング畳み込みコードなどの前方誤り訂正（ＦＥＣ）コードで符号化され得る。ペイロードサイズｋがしきい値以下である場合、符号化は、リード−マラーエンコーダ構成要素１０３０を含み得る第２の分岐１０２５に沿って進み得る。第１の分岐１０１０または第２の分岐１０２５のいずれかに沿った符号化に続いて、レートマッチング構成要素１０３５は、データのブロックサイズを送信されるべき無線フレームに一致させ得る。インターリーバ構成要素１０４０は、追加の周波数ダイバーシティを与えるためにデータをインターリーブし得、スクランブル構成要素１０４５は、データをスクランブルし得る。変調マッパー１０５０は、たとえば、ＱＰＳＫなどの変調方式に従ってデータをマッピングし得る。
【００７３】
[0089]変調マッピングに続いて、多重分離（ＤＥＭＵＸ）構成要素１０５５は、アップリンク送信のために割り当てられたＲＢに従ってデータストリームを多重分離し得る。上記と同様に、たとえば、アップリンク送信は、いくつかの不連続ＲＢから構成される１つまたは複数のインターレースを有し得、多重分離構成要素１０５５は、いくつかの割り当てられたＲＢのための１つまたは複数の多重分離されたデータストリームを与え得る。この例における多重分離されたデータストリームは、ＳＣ−ＦＤＭＡアップリンク送信において使用されるべきデータストリームを含み得、各データストリームは、それぞれのクラスタ処理構成要素１０６０−１〜１０６０−ｎに与えられ得、ここで、ｎは、１よりも大きい整数であり得る。いくつかの例では、多重分離されたデータストリームに対してＤＦＴを処理し、実行する１０個の並列クラスタ処理構成要素１０６０がある。各クラスタ処理構成要素１０６０内で、データは、たとえば、Ｃｈｕシーケンス拡散に従ってデータを拡散し得るスプレッダ１０６５によって処理され得る。各データストリームは、ＤＭ−ＲＳで多重化するためにＤＭ−ＲＳマルチプレクサ１０７０によって処理され得る。ＤＦＴ構成要素１０７５は、次いで、関連データストリームのためのＤＦＴを実行し得る。クラスタ処理構成要素１０６０の各々は、いくつかの割り当てられたＲＢの各々に関連するＲＥにデータストリームとＤＭ−ＲＳとをマッピングし得るマッピング構成要素１０８０にデータストリームとＤＭ−ＲＳとを出力し得る。割り当てられたＲＢの各々についてのＲＥへのデータストリームとＤＭ−ＲＳとのマッピングに続いて、逆高速フーリエ変換（ＩＦＦＴ）構成要素１０８５は、データストリームとＤＭ−ＲＳとに対してＩＦＦＴを実行し、周波数シフトザデータストリームをハーフトーンだけシフトし、送信機構成要素（たとえば、図４の送信機構成要素４３０）に出力を与え得るハーフトーンシフト構成要素１０９０に変換されたデータストリームとＤＭ−ＲＳとを与え得る。
【００７４】
[0090]図３〜図１０の例が、アップリンク共有または制御チャネルに関係するが、様々な例はまた、ＰＲＡＣＨアップリンク送信の処理を与え得る。いくつかの例では、ＰＲＡＣＨアップリンク送信は、アップリンクＣＣＡ免除送信（Ｕ−ＣＥＴ）中で送信され得、また、無線フレーム、サブフレーム、シンボル、および／またはインターレース内に定義されるＰＲＡＣＨリソースなどの他の構成されたリソース中で送信され得る。いくつかの例では、ＰＲＡＣＨ送信は、ＬＴＥ／ＬＴＥ−Ａプロトコルに従って定義されたＰＵＣＣＨフォーマット３または２／２ａ／２ｂと同様のフォーマットを用いるＳＣ−ＦＤＭＡ送信中でインターリーブされるＲＢであり得る。
【００７５】
[0091]図１１に、本開示の様々な態様による、サブフレーム１１０５と物理ランダムアクセスチャネル（ＰＲＡＣＨ）のリソースブロック１１３０の関連するワイヤレスリソースとの一例１１００を示す。サブフレーム１１０５は、たとえば、図１のＵＥ１１５および／または図２のＵＥ２１５などのＵＥからのアップリンク送信中で送信され得る。この例では、１ミリ秒のサブフレーム１１０５は、コンポーネントキャリア（ＣＣ）システム帯域幅１１１０に及ぶアップリンク送信リソースを与え得るいくつかのＲＢを含む。これらの複数のリソースブロックは、ＲＢの第１のインターレース１１１５、ＲＢの第２のインターレース１１２０、およびＲＢの第３のインターレース１１２５などのインターレースを含み得る。上記で説明したのと同様に、アップリンク送信のためのＲＢのインターレース１１１５、１１２０および１１２５などのＲＢは、リソースブロック１１３０が、利用可能なＣＣシステム帯域幅１１１０の少なくとも８０％に及ぶような方式で割り当てられ得る。
【００７６】
[0092]いくつかの例によれば、リソースブロック１１３０などのＲＢの第１のインターレース１１１５、ＲＢの第２のインターレース１１２０、またはＲＢの第３のインターレース１１２５の各リソースブロックは、ＰＲＡＣＨについてのデータを含み得る。図１１の例では、ＲＢの第３のインターレース１１２５は、ＬＴＥ／ＬＴＥ−Ａプロトコルによって定義されたＰＵＣＣＨフォーマット３と同様のフォーマットまたはＰＵＣＣＨ２／２ａ／２ｂと同様のフォーマットを有するＰＲＡＣＨリソースブロック１１３０を含み得る。図１１に示すように、リソースブロック１１３０の第２のシンボル１１５０と、第６のシンボル１１５１と、第９のシンボル１１５２と、第１３のシンボル１１５３とは、ＰＲＡＣＨのためのＲＳ  ＲＥ１１４０を含み得、残りのシンボルは、ＰＲＡＣＨのためのデータＲＥ１１３５を含み得る。
【００７７】
[0093]いくつかの例では、ＵＥからのランダムアクセス要求は、ランダムアクセス手順を開始するために使用され得るアップリンクリソース中で送信され得る。既存のＬＴＥ／ＬＴＥ−Ａプロトコル仕様では、ＰＲＡＣＨは、連続ＲＢを有し得、ランダムアクセス要求は、ＵＥがそれ自体を明確に識別することを可能にしないことがあるが、ＵＥは、Ｃｈｕシーケンス（またはＺａｄｏｆｆ−Ｃｈｕシーケンス）に従って識別シーケンスをピッキングし得る。本明細書で説明するような無認可無線周波数スペクトル帯域を使用したアップリンク送信では、アップリンク送信におけるＲＢのインターリービング構造は、不連続ＲＢを生じ得る。いくつかの例では、無認可無線周波数スペクトル帯域を使用して送信するＵＥは、たとえば、Ｃｈｕシーケンスに従ってランダムアクセス要求を送信するリソースをピッキングし得、リソースのペイロードは、ＵＥの識別情報を含み得る。いくつかの例では、クラスタごとに最大１２個のＰＲＡＣＨが許可され、各ＲＢ中に１２個のトーンがあり、各々が、真のシーケンスの異なるオフセットをもち得る。そのような方法で、ＰＲＡＣＨリソースは、クラスタインデックスとＣｈｕシーケンスオフセットとによって識別され得る。いくつかの例では、各ＰＲＡＣＨは、２００個のコードビットを有し、ＲＢごとに１０個のシンボルがあり、クラスタごとに１０個のＲＢがあり得る。変調は、２ビットのＱＰＳＫを使用して実行され得る。
【００７８】
[0094]図１２に、本開示の様々な態様による、ワイヤレス通信において使用するための装置１２０５のブロック図１２００を示す。いくつかの例では、装置１２０５は、図１を参照しながら説明したＵＥ１１５および／または図２を参照しながら説明したＵＥ２１５のうちの１つの１つまたは複数の態様の一例であり得る。いくつかの例では、装置１２０５は、図４のワイヤレス通信管理構成要素４２０の一例であり得る。装置１２０５はまたプロセッサであり得る。
【００７９】
[0095]装置１２０５の構成要素は、ハードウェアにおいて適用可能な機能の一部または全部を実行するように適応された１つまたは複数のＡＳＩＣを使用して、個々にまたは集合的に実装され得る。代替的に、機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。メモリは、オンボードメモリ、別個のメモリ、またはそれらの組合せであり得る。
【００８０】
[0096]装置１２０５は、例では、本明細書で説明する様々な技法による、ＰＲＡＣＨ上で送信されるべきランダムアクセス要求を準備し得る。図１２の例では、装置１２０５は、ペイロードサイズｋを有するペイロードを受信し得る。いくつかの例では、ペイロードは、上記で説明したようなランダムアクセス要求データを含み得る。
【００８１】
[0097]図１２の例では、ペイロードは、ペイロードのコンテンツに基づいてＣＲＣの値を計算し、ペイロードにＣＲＣ値を付加し得るＣＲＣ構成要素１２１５に与えられ得る。データは、次いで、たとえば、テールバイティング畳み込みコードまたはターボコードでなど、エンコーダ構成要素１２２０において符号化され得る。符号化に続いて、インターリーバ構成要素１２３５は、追加の周波数ダイバーシティを与えるためにデータをインターリーブし得、レートマッチング構成要素１２４０は、データのブロックサイズを送信されるべき無線フレームに一致させ得る。スクランブリング構成要素１２４５は、データをスクランブルし得る。変調マッパー１２５０は、たとえば、ＱＰＳＫなどの変調方式に従ってデータをマッピングし得る。
【００８２】
[0098]変調マッピングに続いて、多重分離（ＤＥＭＵＸ）構成要素１２５５は、アップリンク送信のために割り当てられたＲＢに従ってデータストリームを多重分離し得る。上記と同様に、たとえば、アップリンク送信は、いくつかの割り当てられたＲＢを有し得、多重分離構成要素１２５５は、いくつかの割り当てられたＲＢのための１つまたは複数の多重分離されたデータストリームを与え得る。この例における多重分離されたデータストリームは、ＳＣ−ＦＤＭＡアップリンク送信において使用されるべきデータストリームを含み得、各データストリームは、それぞれのクラスタ処理構成要素１２６０−１〜１２６０−ｎに与えられ得る。いくつかの例では、多重分離されたデータストリームに対してＤＦＴを処理し、実行する１０個の並列クラスタ処理構成要素１２６０がある。各クラスタ処理構成要素１２６０内で、データは、たとえば、Ｃｈｕシーケンス拡散に従ってデータを拡散し得るスプレッダ１２６５によって処理され得る。各データストリームは、ＤＭ−ＲＳでの組込みのためにＤＭ−ＲＳマルチプレクサ１２７０によって処理され得る。ＤＦＴ構成要素１２７５は、次いで、関連データストリームのためのＤＦＴを実行し得る。クラスタ処理構成要素１２６０の各々は、いくつかの割り当てられたＲＢの各々に関連するＲＥにデータストリームとＤＭ−ＲＳとをマッピングし得るマッピング構成要素１２８０にデータストリームとＤＭ−ＲＳとを出力し得る。割り当てられたＲＢの各々についてのＲＥへのデータストリームザＤＭ−ＲＳのマッピングに続いて、ＩＦＦＴ構成要素１２８５は、データストリームザＤＭ−ＲＳに対してＩＦＦＴを実行し、周波数シフトザデータストリームをハーフトーンだけシフトし、送信機構成要素（たとえば、図４の送信機構成要素４３０）に出力を与え得るハーフトーンシフト構成要素１２９０に変換されたデータストリームとＤＭ−ＲＳとを与え得る。
【００８３】
[0099]上記で説明したように、いくつかの例では、複数のチャネルが様々な技法に従って送信され得る。いくつかの例では、ＰＵＳＣＨ、ＰＵＣＣＨ、ＰＲＡＣＨは、同じサブフレーム内で多重化され得る。たとえば、異なるチャネルは、同じサブフレームで周波数分割多重化され得、ＰＵＳＣＨ、ＰＵＣＣＨ、およびＰＲＡＣＨは、その各々が１つまたは複数の別個の割り当てられたＲＢを含み得る別個のクラスタを使用して送信され得る。いくつかの例では、単一のタイプのチャネル（たとえば、ＰＵＳＣＨ、ＰＵＣＣＨ、またはＰＲＡＣＨ）は、単一のクラスタ中で送信され得る。いくつかの例では、サブフレーム中で送信され得るチャネルのタイプは、たとえば、成功したチャネル競合に続く第１のアップリンクサブフレーム中にＰＵＣＣＨが送信され得るなど、識別され得る。ＰＵＣＣＨに対するそのような制限は、ＰＵＳＣＨ送信をブロックするのを回避するのに役立つことがあり、また、ＰＵＳＣＨ送信によってＰＵＣＣＨ送信をブロックするのを回避するのに役立つことがある。たとえば、ＰＵＣＣＨは、無線フレームの第１のアップリンクサブフレーム中に１つまたは複数のクラスタを含み得る。同様に、いくつかの例では、ＰＲＡＣＨは、無線フレームの第１のアップリンクサブフレーム中に１つまたは複数のクラスタを含み得る。したがって、第１のアップリンクサブフレーム中でＰＵＳＣＨのための利用可能なクラスタは、無線フレームの後続のアップリンクサブフレーム中のＰＵＳＣＨクラスタと比較して低減され得る。
【００８４】
[0100]いくつかの例では、ＵＥ（たとえば、図１および／または図２のＵＥ１１５および／または２１５）は、ＰＲＡＣＨおよびＰＵＣＣＨの送信のために利用可能なＲＢのクラスタ／インターレースを示すシグナリングを受信し得る。そのようなシグナリングは、たとえば、無線リソース制御（ＲＲＣ）シグナリング中のアップリンク許可を介して異なるチャネルのための利用可能なクラスタを動的に設定し得る。たとえば、ＵＥが、第１のアップリンクサブフレームと後続のアップリンクサブフレームとのために別個のＰＵＳＣＨ許可を受信し得る。他の例では、ＵＥは、ＲＢのどのクラスタ／インターレースがＰＵＣＣＨ／ＰＲＡＣＨのために予約されることになるのかをＵＥが知ることになることを実現する暗黙的指示またはルールとともに、第１のアップリンクサブフレームと後続のアップリンクサブフレームとの両方のために同じ許可を受信し得る。他の例では、シグナリングは、ＭＡＣレイヤシグナリングを通してＵＥに送信され得る。またさらなる例では、シグナリングは、システム情報ブロック（ＳＩＢ）を通してなど、どのサブフレームがＰＵＣＣＨ／ＰＲＡＣＨのための送信を含み得るのかを半静的に示し得る。またさらなる例では、ＰＵＣＣＨ／ＰＲＡＣＨのための利用可能なサブフレームは、標準に従って設定され得る。ＰＵＣＣＨおよび／またはＰＲＡＣＨ送信を含むサブフレーム中であっても、ＰＵＳＣＨ送信は、ＰＵＣＣＨおよび／またはＰＲＡＣＨによって使用されるクラスタの周りにレートマッチングされ得る。
【００８５】
[0101]図１３に、本開示の様々な態様による、ワイヤレス通信において使用するための装置１３０５のブロック図１３００を示す。装置１３０５は、図１および／または図２を参照しながら説明したＵＥ１１５および／または２１５の１つまたは複数の態様の一例であり得る。装置１３０５はまた、図４の装置４０５の一例であり得る。装置１３０５は、受信機構成要素１３１０、ワイヤレス通信管理構成要素１３２０、および／または送信機構成要素１３３０を含み得る。装置１３０５はまた、プロセッサ（図示せず）であるか、またはそれを含み得る。これらの構成要素の各々は、互いに通信していることがある。
【００８６】
[0102]装置１３０５の構成要素は、ハードウェアにおいて適用可能な機能の一部または全部を実行するように適応された１つまたは複数のＡＳＩＣを使用して、個々にまたは集合的に実装され得る。代替的に、機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各構成要素の機能はまた、全体的にまたは部分的に、１つまたは複数の汎用または特定用途向けプロセッサによって実行されるようにフォーマットされた、メモリに具現化された命令によって実装され得る。メモリは、オンボードメモリ、別個のメモリ、またはそれらの組合せであり得る。
【００８７】
[0103]受信機構成要素１３１０は、パケット、ユーザデータ、および／または様々な情報チャネル（たとえば、制御チャネル、データチャネルなど）に関連付けられた制御情報などの情報を受信し得る。受信機構成要素１３１０は、認可無線周波数スペクトル帯域と無認可無線周波数スペクトル帯域との両方を含む、１つまたは複数の無線周波数スペクトル帯域を介して送信を受信するように構成され得る。認可無線周波数（ＲＦ）スペクトル帯域受信機構成要素１３１２は、この例では、認可無線周波数スペクトル帯域を介して通信を受信するために使用され得る。無認可ＲＦスペクトル帯域受信機構成要素１３１４は、この例では、無認可無線周波数スペクトル帯域を介して通信を受信するために使用され得る。情報は、ワイヤレス通信管理構成要素１３２０に、および装置１３０５の他の構成要素にパスされ得る。
【００８８】
[0104]いくつかの例によれば、ワイヤレス通信管理構成要素１３２０は、信号処理を与える、図５〜図１２を参照しながら説明したような構成要素を含み得る。そのような構成要素は、たとえば、図５、図６、図８、図１０、および／または図１２の多重分離構成要素５１５、６１５、８１５、１０５５、および／または１２５５の一例であり得る多重分離構成要素１３３５を含み得る。ワイヤレス通信管理構成要素１３２０はまた、図５、図６、図８、図１０、および／または図１２のマッピング構成要素５２５、６２５、８２５、１０８０、および／または１２８０の一例であり得るマッピング構成要素１３４０を含み得る。ワイヤレス通信管理構成要素１３２０は、随意に、図５、図６、図１０、および／または図１２のＤＦＴ構成要素５２０1-n、６２０1-n、１０７５、および／または１２７５の一例であり得るＤＦＴ構成要素１３４５を含み得る。
【００８９】
[0105]送信機構成要素１３３０は、装置１３０５の他の構成要素から受信される１つまたは複数の信号を送信し得る。送信機構成要素１３３０は、たとえば、共有無線周波数スペクトル帯域を使用してインターレースされたリソースブロックを送信し得、および／または認可無線周波数スペクトル帯域を使用して送信し得る。認可ＲＦスペクトル帯域送信機構成要素１３３２は、この例では、認可無線周波数スペクトル帯域を介して通信を送信するために使用され得る。無認可ＲＦスペクトル帯域送信機構成要素１３３４は、この例では、無認可無線周波数スペクトル帯域を介して通信を送信するために使用され得る。いくつかの例では、送信機構成要素１３３０は、トランシーバ構成要素中の受信機構成要素１３１０とコロケートされ得る。
【００９０】
[0106]図１４に、本開示の様々な態様による、ワイヤレス通信において使用するためのシステム１４００を示す。システム１４００は、図１および／または図２のＵＥ１１５および／または２１５の一例であり得るＵＥ１４０１を含み得る。ＵＥ１４０１はまた、図４、図５、図６、図８、図１２、および／または図１３の装置４０５、５０５、６０５、８０５、１２０５、および／または１３０５の１つまたは複数の態様の一例であり得る。
【００９１】
[0107]ＵＥ１４０１は、通信を送信するための構成要素と通信を受信するための構成要素とを含む、双方向音声およびデータ通信のための構成要素を含み得る。ＵＥ１４０１は、アンテナ１４４０と、トランシーバ構成要素１４３５と、プロセッサ構成要素１４０５と、（ソフトウェア（ＳＷ）１４２０を含む）メモリ１４１５とを含み得、それらは、それぞれ（たとえば、１つまたは複数のバス１４４５を介して）直接または間接的に互いに通信し得る。メモリ１４１５は、オンボードメモリ、別個のメモリ、またはそれらの組合せであり得る。トランシーバ構成要素１４３５は、上記で説明したように、アンテナ１４４０、および／あるいは１つまたは複数のワイヤードもしくはワイヤレスリンクを介して、１つまたは複数のネットワークと双方向に通信するように構成され得る。たとえば、トランシーバ構成要素１４３５は、図１および／または図２を参照すると基地局１０５および／または２０５と双方向に通信するように構成され得る。トランシーバ構成要素１４３５は、パケットを変調し、変調されたパケットを送信のためにアンテナ１４４０に与え、アンテナ１４４０から受信されたパケットを復調するように構成されたモデムを含み得る。ＵＥは、複数のワイヤレス送信を同時に送信および／または受信することが可能な複数のアンテナ１４４０を有し得る。トランシーバ構成要素１４３５は、複数のコンポーネントキャリアを介して１つまたは複数の基地局１０５と同時に通信することが可能であり得る。
【００９２】
[0108]ＵＥ１４０１は、ＰＵＳＣＨ、ＰＵＣＣＨ、および／またはＰＲＡＣＨなどの１つまたは複数のアップリンクチャネルを使用した送信のためのＲＢのインターレース／クラスタの決定について上記で説明した機能を実行し得るアップリンク送信管理構成要素１４１０を含み得る。ＵＥ１４０１はまた、データストリームを多重分離することについて上記で説明した機能を実行し得る多重分離構成要素１４２５を含み得る。ＵＥ１４０１はまた、多重分離されたデータストリームをマッピングすることについて上記で説明した機能を実行し得るマッピング構成要素１４５０を含み得る。ＵＥ１４０１はまた、上記で説明したＤＦＴ機能を実行し得るＤＦＴ構成要素１４３０を含み得る。
【００９３】
[0109]様々な例では、アップリンク送信管理構成要素１４１０、多重分離構成要素１４２５、マッピング構成要素１４５０、および／またはＤＦＴ構成要素１４３０は、適用可能な機能の一部または全部をハードウェアで実行するように適応された１つまたは複数のＡＳＩＣを使用して個々にまたは集合的に実装され得る。代替的に、それらの機能は、いくつかの例では、プロセッサ構成要素１４０５の少なくとも一部を形成し得る１つまたは複数の集積回路上で、１つまたは複数の他の処理ユニット（またはコア）によって実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各構成要素の機能はまた、全体的にまたは部分的に、いくつかの例では、プロセッサ構成要素１４０５の少なくとも一部を形成し得る１つまたは複数の汎用プロセッサまたは特定用途向けプロセッサによって実行されるようにフォーマットされた、メモリ１４１５などのメモリにおいて実施される命令を用いて実装され得る。
【００９４】
[0110]メモリ１４１５は、ランダムアクセスメモリ（ＲＡＭ）および読取り専用メモリ（ＲＯＭ）を含み得る。メモリ１４１５は、実行されるとき、プロセッサ構成要素１４０５に、本明細書で説明する様々な機能（たとえば、データストリームを多重分離すること、多重分離されたデータストリームをリソース要素にマッピングすることなど）を実行することを行わせるように構成された命令を含んでいるコンピュータ可読、コンピュータ実行可能ソフトウェア／ファームウェアコード１４２０を記憶し得る。代替的に、コンピュータ可読、コンピュータ実行可能ソフトウェア／ファームウェアコード１４２０は、プロセッサ構成要素１４０５によって直接的に実行可能ではないことがあるが、（たとえば、コンパイルされ実行されたとき）コンピュータに本明細書で説明される機能を実行させるように構成され得る。プロセッサ構成要素１４０５は、インテリジェントなハードウェアデバイス、たとえば、中央処理ユニット（ＣＰＵ）、マイクロコントローラ、ＡＳＩＣなどを含み得る。
【００９５】
[0111]図１５は、本開示の様々な態様による、ワイヤレス通信のための方法１５００の一例を示すフローチャートである。明快のために、方法１５００について、図１、図２、および／または図１４を参照しながら説明したＵＥ１１５、２１５、および／または１４０１のうちの１つまたは複数の態様、ならびに／あるいは、図４、図５、図６、図８、図１０、図１２、および／または図１３を参照しながら説明したデバイスまたは装置４０５、５０５、６０５、８０５、１００５、１２０５、および／または１３０５のうちの１つまたは複数の態様を参照しながら以下で説明する。いくつかの例では、ＵＥは、以下で説明する機能を実行するためにＵＥの機能要素を制御するためのコードの１つまたは複数のセットを実行し得る。追加または代替として、ＵＥは、専用ハードウェアを使用して以下で説明する機能のうちの１つまたは複数を実行し得る。
【００９６】
[0112]ブロック１５０５において、ＵＥは、１つまたは複数のアップリンクチャネル上で送信されるべきデータまたは制御情報のうちの１つまたは複数を備えるデータストリームを取得し得、１つまたは複数のアップリンクチャネルの各々は、共有無線周波数スペクトル帯域を介したアップリンク送信のためのいくつかの割り当てられたインターレースを備え、ここにおいて、いくつかの割り当てられたインターレースの各々は、共有無線周波数スペクトル帯域の１つまたは複数のリソースブロックを備える。
【００９７】
[0113]ブロック１５０５における動作は、図４のデータストリーム構成要素４１０、図５、図６、および／または図８のトランスポートブロック処理構成要素５１０、６１０、および／または８１０、図１０および／または図１２のＣＲＣ構成要素１０１５および／または１２１５、図１０のリード−マラーエンコーダ構成要素１０３０、ならびに／あるいは図１４のアップリンク送信管理構成要素１４１０を使用して実行され得る。
【００９８】
[0114]ブロック１５１０において、ＵＥは、いくつかの割り当てられたインターレースのための１つまたは複数の多重分離されたデータストリームを与えるためにデータストリームを多重分離し得る。ブロック１５１０における動作は、図４のワイヤレス通信管理構成要素４２０ならびに／あるいは図５、図６、図８、図１０、図１２、図１３、および／または図１４の多重分離構成要素５１５、６１５、８１５、１０５５、１２５５、１３３５および／または１４２５を使用して実行され得る。
【００９９】
[0115]ブロック１５１５において、ＵＥは、いくつかの割り当てられたインターレースの各々に関連する複数のリソース要素に１つまたは複数の多重分離されたデータストリームの各々をマッピングし得る。ブロック１５１５における動作は、図４のワイヤレス通信管理構成要素４２０ならびに／あるいは図５、図６、図８、図１０、図１２、図１３、および／または図１４のマッピング構成要素５２５、６２５、８２５、１０８０、１２８０、１３４０および／または１４５０を使用して実行され得る。
【０１００】
[0116]このようにして、方法１５００はワイヤレス通信を提供し得る。方法１５００は一実装形態にすぎず、方法１５００の動作は、他の実装形態が可能であるように再構成されるか、または場合によっては修正され得ることに留意されたい。
【０１０１】
[0117]図１６は、本開示の様々な態様による、ワイヤレス通信のための方法１６００の一例を示すフローチャートである。明快のために、方法１６００について、図１、図２、および／または図１４を参照しながら説明したＵＥ１１５、２１５、および／または１４０１のうちの１つまたは複数の態様、ならびに／あるいは、図４、図５、図６、図８、図１０、図１２、および／または図１３を参照しながら説明したデバイスまたは装置４０５、５０５、６０５、８０５、１００５、１２０５、および／または１３０５のうちの１つまたは複数の態様を参照しながら以下で説明する。いくつかの例では、ＵＥは、以下で説明する機能を実行するためにＵＥの機能要素を制御するためのコードの１つまたは複数のセットを実行し得る。追加または代替として、ＵＥは、専用ハードウェアを使用して以下で説明する機能のうちの１つまたは複数を実行し得る。
【０１０２】
[0118]ブロック１６０５において、ＵＥは、１つまたは複数のアップリンクチャネル上で送信されるべきデータを備えるデータストリームを取得し得、１つまたは複数のアップリンクチャネルの各々は、共有無線周波数スペクトル帯域を介したアップリンク送信のためのいくつかの割り当てられたインターレースを備え、ここにおいて、いくつかの割り当てられたインターレースの各々は、共有無線周波数スペクトル帯域の１つまたは複数のリソースブロックを備える。
【０１０３】
[0119]ブロック１６０５における動作は、図４のデータストリーム構成要素４１０、図５および／または図６のトランスポートブロック処理構成要素５１０および／または６１０、図１０および／または図１２のＣＲＣ構成要素１０１５および／または１２１５、図１０のリード−マラーエンコーダ構成要素１０３０、ならびに／あるいは図１４のアップリンク送信管理構成要素１４１０を使用して実行され得る。
【０１０４】
[0120]ブロック１６１０において、ＵＥは、いくつかの割り当てられたインターレースのための１つまたは複数の多重分離されたデータストリームを与えるためにデータストリームを多重分離し得る。ブロック１６１０における動作は、図４のワイヤレス通信管理構成要素４２０ならびに／あるいは図５、図６、図１０、図１２、図１３、および／または図１４の多重分離構成要素５１５、６１５、１０５５、１２５５、１３３５および／または１４２５を使用して実行され得る。
【０１０５】
[0121]ブロック１６１５において、ＵＥは、多重分離されたデータストリームごとに離散フーリエ変換（ＤＦＴ）を実行し得る。ブロック１６１５における動作は、図４のワイヤレス通信管理構成要素４２０ならびに／あるいは図５、図６、図１０、図１２、図１３、および／または図１４のＤＦＴ構成要素５２０1-n、６２０、１０７５、１２７５、１３４５および／または１４３０を使用して実行され得る。
【０１０６】
[0122]ブロック１６２０において、ＵＥは、割り当てられたインターレースに関連する複数のリソース要素に１つまたは複数の多重分離されたデータストリームの各々をマッピングし得る。ブロック１６２０における動作は、図４のワイヤレス通信管理構成要素４２０ならびに／あるいは図５、図６、図１０、図１２、図１３、および／または図１４のマッピング構成要素５２５、６２５、１０８０、１２８０、１３４０および／または１４５０を使用して実行され得る。
【０１０７】
[0123]このようにして、方法１６００はワイヤレス通信を提供し得る。方法１６００は一実装形態にすぎず、方法１６００の動作は、他の実装形態が可能であるように再構成されるか、または場合によっては修正され得ることに留意されたい。
【０１０８】
[0124]図１７は、本開示の様々な態様による、ワイヤレス通信のための方法１７００の一例を示すフローチャートである。明快のために、方法１７００について、図１、図２、および／または図１４を参照しながら説明したＵＥ１１５、２１５、および／または１４０１のうちの１つまたは複数の態様、ならびに／あるいは、図４、図１２、および／または図１３を参照しながら説明したデバイスまたは装置４０５、１２０５、および／または１３０５のうちの１つまたは複数の態様を参照しながら以下で説明する。いくつかの例では、ＵＥは、以下で説明する機能を実行するためにＵＥの機能要素を制御するためのコードの１つまたは複数のセットを実行し得る。追加または代替として、ＵＥは、専用ハードウェアを使用して以下で説明する機能のうちの１つまたは複数を実行し得る。
【０１０９】
[0125]ブロック１７０５において、ＵＥは、１つまたは複数のアップリンクチャネル上で送信されるべきデータを備えるデータストリームを取得し得、１つまたは複数のアップリンクチャネルの各々は、共有無線周波数スペクトル帯域を介したアップリンク送信のためのいくつかの割り当てられたインターレースを備え、ここにおいて、いくつかの割り当てられたインターレースの各々は、共有無線周波数スペクトル帯域の１つまたは複数のリソースブロックを備える。
【０１１０】
[0126]ブロック１７０５における動作は、図４のデータストリーム構成要素４１０、図１２のＣＲＣ構成要素１２１５、図１３のワイヤレス通信管理構成要素１３２０、および／または図１４のアップリンク送信管理構成要素１４１０を使用して実行され得る。
【０１１１】
[0127]ブロック１７１０において、ＵＥは、ランダムアクセス要求のための割り当てられたインターレースのサブセットを選択し得る。ブロック１７１０における動作は、図４および／または図１３のワイヤレス通信管理構成要素４２０および／または１３２０ならびに／あるいは図１４のアップリンク送信管理構成要素１４１０を使用して実行され得る。
【０１１２】
[0128]ブロック１７１５において、ＵＥは、割り当てられたインターレースのサブセットのためのデータストリーム中で送信されるべきデータを符号化し得る。ブロック１７１５における動作は、図４および／または図１３のワイヤレス通信管理構成要素４２０および／または１３２０、図１２のエンコーダ構成要素１２２０、ならびに／あるいは図１４のアップリンク送信管理構成要素１４１０を使用して実行され得る。
【０１１３】
[0129]ブロック１７２０において、ＵＥは、割り当てられたインターレースごとに多重分離されたデータストリームの各々を拡散し得る。ブロック１７２０における動作は、図４のワイヤレス通信管理構成要素４２０、図１３のワイヤレス通信管理構成要素１３２０、図１２のスプレッダ１２６５、および／または図１４のアップリンク送信管理構成要素１４１０を使用して実行され得る。
【０１１４】
[0130]ブロック１７２５において、ＵＥは、多重分離されたデータストリームごとに離散フーリエ変換（ＤＦＴ）を実行し得る。ブロック１７２５における動作は、図４および／または図１３のワイヤレス通信管理構成要素４２０および／または１３２０、図１２のＤＦＴ構成要素１２７５、ならびに／あるいは図１４のＤＦＴ構成要素１４３０を使用して実行され得る。
【０１１５】
[0131]このようにして、方法１７００はワイヤレス通信を提供し得る。方法１７００は一実装形態にすぎず、方法１７００の動作は、他の実装形態が可能であるように再構成されるか、または場合によっては修正され得ることに留意されたい。
【０１１６】
[0132]いくつかの例では、方法１５００、１６００、および／または１７００のうちの２つ以上からの態様が組み合わされ得る。方法１５００、１６００、および１７００は例示的な実装形態にすぎず、方法１５００〜１７００の動作は、他の実装形態が可能であるように再構成されるか、または場合によっては修正され得ることに留意されたい。
【０１１７】
[0133]本明細書に記載された技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））とＣＤＭＡの他の変形とを含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。ロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ：3rd Generation Partnership Project）と称する組織からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、上述のシステムおよび無線技術、ならびに共有および／または共有帯域幅を介したセルラー（たとえば、ＬＴＥ）通信を含む他のシステムおよび無線技術のために使用され得る。ただし、上記の説明では、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【０１１８】
[0134]添付の図面に関して上に記載された詳細な説明は、例を説明しており、実装され得るまたは特許請求の範囲内に入る例のみを表すものではない。「例」および「例示的」という用語は、本明細書で使用されるとき、「例、事例、または例示として働く」ことを意味し、「好ましい」または「他の例よりも有利である」ことを意味するものではない。発明を実施するための形態は、本開示の理解を与えるための具体的な詳細を含む。ただし、これらの技法は、これらの具体的な詳細なしに実施され得る。いくつかの例では、周知の構造および装置は、本開示の概念を不明瞭にしないようにするために、ブロック図形式で示される。
【０１１９】
[0135]情報および信号は、多種多様な技術および技法のいずれかを使用して表され得る。たとえば、上の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１２０】
[0136]本明細書の開示に関して説明した様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を実施するように設計されたそれらの任意の組合せを用いて実装または実施され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえばＤＳＰとマイクロプロセッサとの組合せ、複数のマイクロプロセッサ、ＤＳＰコアと連携する１つもしくは複数のマイクロプロセッサ、または任意の他のそのような構成としても実装され得る。
【０１２１】
[0137]本明細書に記載された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示の範囲内および添付の特許請求の範囲内にある。たとえば、ソフトウェアの性質に起因して、上述された機能は、プロセッサ、ハードウェア、ファームウェア、ハードワイヤリング、またはこれらのいずれかの組合せによって実行されるソフトウェアを使用して実装され得る。機能を実装する特徴はまた、様々な物理的位置において機能の部分が実装されるように分散されることを含めて、様々な位置に物理的に配置され得る。特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１２２】
[0138]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の入手可能な媒体であり得る。限定ではなく例として、コンピュータ可読媒体は、ＲＡＭ、ＲＯＭ、電気的消去可能プログラマブルＲＯＭ（ＥＥＰＲＯＭ（登録商標））、フラッシュメモリ、コンパクトディスク（ＣＤ）−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１２３】
[0139]本開示の前述の説明は、当業者が本開示を作成または使用することができるように与えたものである。本開示への様々な修正は当業者には容易に明らかとなり、本明細書で定義される一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
以下に、本願の出願当初の特許請求の範囲に記載された発明を付記する。
［Ｃ１］
ワイヤレス通信のための方法であって、
１つまたは複数のアップリンクチャネル上で送信されるべきデータを備えるデータストリームを取得することと、前記１つまたは複数のアップリンクチャネルの各々が、共有無線周波数スペクトル帯域を介したアップリンク送信のためのいくつかの割り当てられたインターレースを備える、ここにおいて、前記いくつかの割り当てられたインターレースの各々が、前記共有無線周波数スペクトル帯域の１つまたは複数のリソースブロックを備える、
前記いくつかの割り当てられたインターレースのための１つまたは複数の多重分離されたデータストリームを与えるために前記データストリームを多重分離することと、
前記いくつかの割り当てられたインターレースに関連する複数のリソース要素に前記多重分離されたデータストリームのうちの少なくとも１つをマッピングすることと
を備える、方法。
［Ｃ２］
前記いくつかの割り当てられたインターレースの各々が、前記共有無線周波数スペクトル帯域の複数の不連続リソースブロックを備える、Ｃ１に記載の方法。
［Ｃ３］
前記いくつかの割り当てられたインターレースの各々が、前記共有無線周波数スペクトル帯域の複数の連続リソースブロックを備える、Ｃ１に記載の方法。
［Ｃ４］
前記いくつかの割り当てられたインターレースの各々が、前記共有無線周波数スペクトル帯域の複数のリソースブロックを備え、ここにおいて、前記複数のリソースブロックの第１のサブセットが連続であり、前記複数のリソースブロックの第２のサブセットが不連続である、Ｃ１に記載の方法。
［Ｃ５］
前記１つまたは複数のアップリンクチャネルが、物理アップリンク共有チャネル（ＰＵＳＣＨ）を備える、Ｃ１に記載の方法。
［Ｃ６］
前記ＰＵＳＣＨのための前記いくつかの割り当てられたインターレースの前記１つまたは複数のリソースブロックが、非隣接リソースブロックを備え、ここにおいて、別個の多重分離されたデータストリームが、前記非隣接リソースブロックの各リソースブロックにマッピングされる、Ｃ５に記載の方法。
［Ｃ７］
前記ＰＵＳＣＨのための前記いくつかの割り当てられたインターレースの前記１つまたは複数のリソースブロックが、少なくとも２つの隣接リソースブロックを備え、ここにおいて、前記１つまたは複数の多重分離されたデータストリームのうちの１つが、前記少なくとも２つの隣接リソースブロックの各リソースブロックにマッピングされる、Ｃ５に記載の方法。
［Ｃ８］
前記複数のリソース要素が、シングルキャリア周波数分割多元接続（ＳＣ−ＦＤＭＡ）技法を使用して送信される、Ｃ５に記載の方法。
［Ｃ９］
前記方法が、
多重分離されたデータストリームごとに離散フーリエ変換（ＤＦＴ）を実行すること  をさらに備える、Ｃ８に記載の方法。
［Ｃ１０］
前記複数のリソース要素が、直交周波数分割多元接続（ＯＦＤＭＡ）技法を使用して送信される、Ｃ５に記載の方法。
［Ｃ１１］
前記１つまたは複数のアップリンクチャネルが、物理アップリンク制御チャネル（ＰＵＣＣＨ）を備える、Ｃ１に記載の方法。
［Ｃ１２］
前記１つまたは複数の多重分離されたデータストリームのうちの少なくとも１つのために離散フーリエ変換（ＤＦＴ）を実行すること
をさらに備える、Ｃ１１に記載の方法。
［Ｃ１３］
前記ＰＵＣＣＨ上で送信されるべき前記データのペイロードサイズを決定することと、  前記ペイロードサイズに基づいて選択された符号化方式を使用して送信されるべき前記データを符号化することと
をさらに備える、Ｃ１１に記載の方法。
［Ｃ１４］
前記データを符号化することが、前記ペイロードサイズのしきい値に少なくとも部分的に基づいて前記データを符号化する前記符号化方式を選択することを備える、Ｃ１３に記載の方法。
［Ｃ１５］
前記ＰＵＣＣＨのための前記いくつかの割り当てられたインターレースに少なくとも部分的に基づいて前記符号化されたデータをレートマッチングすること
をさらに備える、Ｃ１３に記載の方法。
［Ｃ１６］
前記レートマッチングされた符号化されたデータをインターリーブすること
をさらに備える、Ｃ１５に記載の方法。
［Ｃ１７］
前記インターリーブされレートマッチングされた符号化されたデータをスクランブルすること
をさらに備える、Ｃ１６に記載の方法。
［Ｃ１８］
拡散シーケンスを使用して前記１つまたは複数の多重分離されたデータストリームの各々を拡散すること
をさらに備える、Ｃ１１に記載の方法。
［Ｃ１９］
基準信号で前記１つまたは複数の多重分離されたデータストリームの各々を多重化すること
をさらに備える、Ｃ１１に記載の方法。
［Ｃ２０］
前記１つまたは複数のアップリンクチャネルが、物理ランダムアクセスチャネル（ＰＲＡＣＨ）を備える、Ｃ１に記載の方法。
［Ｃ２１］
ランダムアクセス要求のための前記いくつかの割り当てられたインターレースのサブセットを選択することと、
前記いくつかの割り当てられたインターレースの前記選択されたサブセットのための前記データストリームに送信されるべき前記データを符号化することと
をさらに備える、Ｃ２０に記載の方法。
［Ｃ２２］
前記ＰＲＡＣＨへの前記いくつかの割り当てられたインターレースに少なくとも部分的に基づいて前記符号化されたデータをレートマッチングすること
をさらに備える、Ｃ２１に記載の方法。
［Ｃ２３］
前記レートマッチングされた符号化されたデータをインターリーブすること
をさらに備える、Ｃ２２に記載の方法。
［Ｃ２４］
前記インターリーブされレートマッチングされた符号化されたデータをスクランブルすること
をさらに備える、Ｃ２３に記載の方法。
［Ｃ２５］
前記いくつかの割り当てられたインターレースの各々のための前記１つまたは複数の多重分離されたデータストリームの各々を拡散することと、
前記１つまたは複数の多重分離されたデータストリームの各々のために離散フーリエ変換（ＤＦＴ）を実行すること
をさらに備える、Ｃ２０に記載の方法。
［Ｃ２６］
基準信号で前記いくつかの割り当てられたインターレースの各々のための前記１つまたは複数の多重分離されたデータストリームの各々を多重化すること
をさらに備える、Ｃ２０に記載の方法。
［Ｃ２７］
前記１つまたは複数のアップリンクチャネルが、物理アップリンク制御チャネル（ＰＵＣＣＨ）と、物理アップリンク共有チャネル（ＰＵＳＣＨ）と、物理ランダムアクセスチャネル（ＰＲＡＣＨ）とを備える、Ｃ１に記載の方法。
［Ｃ２８］
前記ＰＵＣＣＨ、ＰＵＳＣＨ、およびＰＲＡＣＨの前記各々が、割り当てられたインターレースの１つまたは複数のクラスタを備える、Ｃ２７に記載の方法。
［Ｃ２９］
割り当てられたインターレースの前記１つまたは複数のクラスタの各々が、前記ＰＵＣＣＨ、ＰＵＳＣＨ、またはＰＲＡＣＨのうちの１つのための前記いくつかの割り当てられたインターレースを備える、Ｃ２８に記載の方法。
［Ｃ３０］
前記ＰＵＣＣＨが、無線フレームの第１のアップリンクサブフレーム中に割り当てられたインターレースの１つまたは複数のクラスタを備える、Ｃ２８に記載の方法。
［Ｃ３１］
前記ＰＲＡＣＨが、無線フレームの第１のアップリンクサブフレーム中に割り当てられたインターレースの１つまたは複数のクラスタを備える、Ｃ２８に記載の方法。
［Ｃ３２］
前記ＰＵＳＣＨが、無線フレームの第１のアップリンクサブフレーム中の割り当てられたインターレースのクラスタの第１のサブセットと前記無線フレームの後続のアップリンクサブフレームのための割り当てられたインターレースのクラスタの第２のサブセットとを備え、割り当てられたインターレースのクラスタの前記第２のサブセットが、割り当てられたインターレースのクラスタの前記第１のサブセットとは異なる数の、割り当てられたインターレースのクラスタを有する、Ｃ２８に記載の方法。
［Ｃ３３］
割り当てられたインターレースのクラスタの前記第１のサブセットと割り当てられたインターレースのクラスタの前記第２のサブセットとのために利用可能なクラスタが、基地局から受信された制御シグナリングに基づいて決定される、Ｃ３２に記載の方法。
［Ｃ３４］
ワイヤレス通信のための装置であって、
プロセッサと、
前記プロセッサと電子通信しているメモリと
を備え、
前記プロセッサと前記メモリとが、
１つまたは複数のアップリンクチャネル上で送信されるべきデータを備えるデータストリームを取得することと、前記１つまたは複数のアップリンクチャネルの各々が、共有無線周波数スペクトル帯域を介したアップリンク送信のためのいくつかの割り当てられたインターレースを備える、ここにおいて、前記いくつかの割り当てられたインターレースの各々が、前記共有無線周波数スペクトル帯域のリソースブロックを備える、
前記いくつかの割り当てられたインターレースのための１つまたは複数の多重分離されたデータストリームを与えるために前記データストリームを多重分離することと、
前記いくつかの割り当てられたインターレースに関連する複数のリソース要素に前記１つまたは複数の多重分離されたデータストリームのうちの少なくとも１つをマッピングすることと
を行うように構成された、装置。
［Ｃ３５］
前記いくつかの割り当てられたインターレースの各々が、前記共有無線周波数スペクトル帯域の複数の不連続リソースブロックを備える、Ｃ３４に記載の装置。
［Ｃ３６］
前記いくつかの割り当てられたインターレースの各々が、前記共有無線周波数スペクトル帯域の複数の連続リソースブロックを備える、Ｃ３４に記載の装置。
［Ｃ３７］
前記いくつかの割り当てられたインターレースの各々が、前記共有無線周波数スペクトル帯域の複数のリソースブロックを備え、ここにおいて、前記複数のリソースブロックの第１のサブセットが連続であり、前記複数のリソースブロックの第２のサブセットが不連続である、Ｃ３４に記載の装置。
［Ｃ３８］
前記１つまたは複数のアップリンクチャネルが、物理アップリンク共有チャネル（ＰＵＳＣＨ）を備える、Ｃ３４に記載の装置。
［Ｃ３９］
前記ＰＵＳＣＨのための前記いくつかの割り当てられたインターレースの前記１つまたは複数のリソースブロックが、非隣接リソースブロックを備え、ここにおいて、別個の多重分離されたデータストリームが、前記非隣接リソースブロックの各リソースブロックにマッピングされる、Ｃ３８に記載の装置。
［Ｃ４０］
前記ＰＵＳＣＨのための前記いくつかの割り当てられたインターレースの前記１つまたは複数のリソースブロックが、少なくとも２つの隣接リソースブロックを備え、ここにおいて、前記１つまたは複数の多重分離されたデータストリームのうちの１つが、前記少なくとも２つの隣接リソースブロックの各リソースブロックにマッピングされる、Ｃ３８に記載の装置。
［Ｃ４１］
前記複数のリソース要素が、シングルキャリア周波数分割多元接続（ＳＣ−ＦＤＭＡ）技法を使用して送信される、Ｃ３８に記載の装置。
［Ｃ４２］
前記プロセッサと前記メモリとが、
前記１つまたは複数の多重分離されたデータストリームの各々のために離散フーリエ変換（ＤＦＴ）を実行すること
を行うようにさらに構成された、Ｃ４１に記載の装置。
［Ｃ４３］
前記複数のリソース要素が、直交周波数分割多元接続（ＯＦＤＭＡ）技法を使用して送信される、Ｃ３８に記載の装置。
［Ｃ４４］
前記１つまたは複数のアップリンクチャネルが、物理アップリンク制御チャネル（ＰＵＣＣＨ）を備える、Ｃ３４に記載の装置。
［Ｃ４５］
前記プロセッサと前記メモリとが、
前記１つまたは複数の多重分離されたデータストリームのうちの少なくとも１つのために離散フーリエ変換（ＤＦＴ）を実行すること
を行うようにさらに構成された、Ｃ４４に記載の装置。
［Ｃ４６］
前記プロセッサと前記メモリとが、
前記ＰＵＣＣＨ上で送信されるべき前記データのペイロードサイズを決定することと、  前記ペイロードサイズに基づいて選択された符号化方式を使用して送信されるべき前記データを符号化することと
を行うようにさらに構成された、Ｃ４４に記載の装置。
［Ｃ４７］
前記プロセッサと前記メモリとが、前記ペイロードサイズのしきい値に少なくとも部分的に基づいて前記データを符号化する前記符号化方式を選択することを行うようにさらに構成された、Ｃ４６に記載の装置。
［Ｃ４８］
前記プロセッサと前記メモリとが、
前記ＰＵＣＣＨのための前記いくつかの割り当てられたインターレースに少なくとも部分的に基づいて前記符号化されたデータをレートマッチングすること
を行うようにさらに構成された、Ｃ４６に記載の装置。
［Ｃ４９］
前記プロセッサと前記メモリとが、
前記レートマッチングされた符号化されたデータをインターリーブすること
を行うようにさらに構成された、Ｃ４８に記載の装置。
［Ｃ５０］
前記プロセッサと前記メモリとが、
前記インターリーブされレートマッチングされた符号化されたデータをスクランブルすること
を行うようにさらに構成された、Ｃ４９に記載の装置。
［Ｃ５１］
前記プロセッサと前記メモリとが、
拡散シーケンスを使用して前記１つまたは複数の多重分離されたデータストリームの各々を拡散すること
を行うようにさらに構成された、Ｃ４４に記載の装置。
［Ｃ５２］
前記プロセッサと前記メモリとが、
基準信号で前記１つまたは複数の多重分離されたデータストリームの各々を多重化すること
を行うようにさらに構成された、Ｃ４４に記載の装置。
［Ｃ５３］
前記１つまたは複数のアップリンクチャネルが、物理ランダムアクセスチャネル（ＰＲＡＣＨ）を備える、Ｃ３４に記載の装置。
［Ｃ５４］
前記プロセッサと前記メモリとが、
ランダムアクセス要求のための前記いくつかの割り当てられたインターレースのサブセットを選択することと、
前記いくつかの割り当てられたインターレースの前記選択されたサブセットのための前記データストリームに送信されるべき前記データを符号化することと
を行うようにさらに構成された、Ｃ５３に記載の装置。
［Ｃ５５］
前記プロセッサと前記メモリとが、
前記ＰＲＡＣＨへの前記いくつかの割り当てられたインターレースに少なくとも部分的に基づいて前記符号化されたデータをレートマッチングすること
を行うようにさらに構成された、Ｃ５４に記載の装置。
［Ｃ５６］
前記プロセッサと前記メモリとが、
前記レートマッチングされた符号化されたデータをインターリーブすること
を行うようにさらに構成された、Ｃ５５に記載の装置。
［Ｃ５７］
前記プロセッサと前記メモリとが、
前記インターリーブされレートマッチングされた符号化されたデータをスクランブルすること
を行うようにさらに構成された、Ｃ５６に記載の装置。
［Ｃ５８］
前記プロセッサと前記メモリとが、
前記いくつかの割り当てられたインターレースの各々のための前記１つまたは複数の多重分離されたデータストリームの各々を拡散することと、
前記１つまたは複数の多重分離されたデータストリームの各々のために離散フーリエ変換（ＤＦＴ）を実行することと
を行うようにさらに構成された、Ｃ５３に記載の装置。
［Ｃ５９］
前記プロセッサと前記メモリとが、
基準信号で前記いくつかの割り当てられたインターレースの各々のための前記１つまたは複数の多重分離されたデータストリームの各々を多重化すること
を行うようにさらに構成された、Ｃ５３に記載の装置。
［Ｃ６０］
前記１つまたは複数のアップリンクチャネルが、物理アップリンク制御チャネル（ＰＵＣＣＨ）と、物理アップリンク共有チャネル（ＰＵＳＣＨ）と、物理ランダムアクセスチャネル（ＰＲＡＣＨ）とを備える、Ｃ３４に記載の装置。
［Ｃ６１］
前記ＰＵＣＣＨ、ＰＵＳＣＨ、およびＰＲＡＣＨの前記各々が、割り当てられたインターレースの１つまたは複数のクラスタを備える、Ｃ６０に記載の装置。
［Ｃ６２］
割り当てられたインターレースの前記１つまたは複数のクラスタの各々が、前記ＰＵＣＣＨ、ＰＵＳＣＨ、またはＰＲＡＣＨのうちの１つのための前記いくつかの割り当てられたインターレースを備える、Ｃ６１に記載の装置。
［Ｃ６３］
前記ＰＵＣＣＨが、無線フレームの第１のアップリンクサブフレーム中に割り当てられたインターレースの１つまたは複数のクラスタを備える、Ｃ６１に記載の装置。
［Ｃ６４］
前記ＰＲＡＣＨが、無線フレームの第１のアップリンクサブフレーム中に割り当てられたインターレースの１つまたは複数のクラスタを備える、Ｃ６１に記載の装置。
［Ｃ６５］
前記ＰＵＳＣＨが、無線フレームの第１のアップリンクサブフレーム中の割り当てられたインターレースのクラスタの第１のサブセットと前記無線フレームの後続のアップリンクサブフレームのための割り当てられたインターレースのクラスタの第２のサブセットとを備え、割り当てられたインターレースのクラスタの前記第２のサブセットが、割り当てられたインターレースのクラスタの前記第１のサブセットとは異なる数の、割り当てられたインターレースのクラスタを有する、Ｃ６１に記載の装置。
［Ｃ６６］
割り当てられたインターレースのクラスタの前記第１のサブセットと割り当てられたインターレースのクラスタの前記第２のサブセットとのために利用可能なクラスタが、基地局から受信された制御シグナリングに基づいて決定される、Ｃ６５に記載の装置。
［Ｃ６７］
ワイヤレス通信のための装置であって、
１つまたは複数のアップリンクチャネル上で送信されるべきデータを備えるデータストリームを取得するための手段と、前記１つまたは複数のアップリンクチャネルの各々が、共有無線周波数スペクトル帯域を介したアップリンク送信のためのいくつかの割り当てられたインターレースを備える、ここにおいて、前記いくつかの割り当てられたインターレースの各々が、前記共有無線周波数スペクトル帯域の１つまたは複数のリソースブロックを備える、
前記いくつかの割り当てられたインターレースのための１つまたは複数の多重分離されたデータストリームを与えるために前記データストリームを多重分離するための手段と、  前記いくつかの割り当てられたインターレースに関連する複数のリソース要素に前記１つまたは複数の多重分離されたデータストリームのうちの少なくとも１つをマッピングするための手段と
を備える、装置。
［Ｃ６８］
前記いくつかの割り当てられたインターレースの各々が、前記共有無線周波数スペクトル帯域の複数の不連続リソースブロックを備える、Ｃ６７に記載の装置。
［Ｃ６９］
前記いくつかの割り当てられたインターレースの各々が、前記共有無線周波数スペクトル帯域の複数の連続リソースブロックを備える、Ｃ６７に記載の装置。
［Ｃ７０］
前記いくつかの割り当てられたインターレースの各々が、前記共有無線周波数スペクトル帯域の複数のリソースブロックを備え、ここにおいて、前記複数のリソースブロックの第１のサブセットが連続であり、前記複数のリソースブロックの第２のサブセットが不連続である、Ｃ６７に記載の装置。
［Ｃ７１］
前記１つまたは複数のアップリンクチャネルが、物理アップリンク共有チャネル（ＰＵＳＣＨ）を備える、Ｃ６７に記載の装置。
［Ｃ７２］
前記１つまたは複数の多重分離されたデータストリームの各々のために離散フーリエ変換（ＤＦＴ）を実行するための手段
をさらに備える、Ｃ７１に記載の装置。
［Ｃ７３］
前記１つまたは複数のアップリンクチャネルが、物理アップリンク制御チャネル（ＰＵＣＣＨ）を備える、Ｃ６７に記載の装置。
［Ｃ７４］
前記１つまたは複数の多重分離されたデータストリームのうちの少なくとも１つのために離散フーリエ変換（ＤＦＴ）を実行するための手段
をさらに備える、Ｃ７３に記載の装置。
［Ｃ７５］
前記ＰＵＣＣＨ上で送信されるべき前記データのペイロードサイズを決定するための手段と、
前記ペイロードサイズに基づいて選択された符号化方式を使用して送信されるべき前記データを符号化するための手段と
をさらに備える、Ｃ７３に記載の装置。
［Ｃ７６］
前記データを符号化するための前記手段が、前記ペイロードサイズのしきい値に少なくとも部分的に基づいて前記データを符号化する前記符号化方式を選択するための手段を備える、Ｃ７５に記載の装置。
［Ｃ７７］
前記１つまたは複数のアップリンクチャネルが、物理ランダムアクセスチャネル（ＰＲＡＣＨ）を備える、Ｃ６７に記載の装置。
［Ｃ７８］
ランダムアクセス要求のための前記いくつかの割り当てられたインターレースのサブセットを選択するための手段と、
前記いくつかの割り当てられたインターレースの前記選択されたサブセットのための前記データストリームに送信されるべき前記データを符号化するための手段と
をさらに備える、Ｃ７７に記載の装置。
［Ｃ７９］
前記いくつかの割り当てられたインターレースの各々のための前記１つまたは複数の多重分離されたデータストリームの各々を拡散するための手段と、
前記１つまたは複数の多重分離されたデータストリームの各々のために離散フーリエ変換（ＤＦＴ）を実行するための手段と
をさらに備える、Ｃ７８に記載の装置。
［Ｃ８０］
前記１つまたは複数のアップリンクチャネルが、物理アップリンク制御チャネル（ＰＵＣＣＨ）と、物理アップリンク共有チャネル（ＰＵＳＣＨ）と、物理ランダムアクセスチャネル（ＰＲＡＣＨ）とを備える、Ｃ６７に記載の装置。
［Ｃ８１］
前記ＰＵＣＣＨ、ＰＵＳＣＨ、およびＰＲＡＣＨの前記各々が、割り当てられたインターレースの１つまたは複数のクラスタを備える、Ｃ８０に記載の装置。
［Ｃ８２］
前記ＰＵＣＣＨと前記ＰＲＡＣＨとの各々が、無線フレームの第１のアップリンクサブフレーム中に割り当てられたインターレースの１つまたは複数のクラスタを備える、Ｃ８１に記載の装置。
［Ｃ８３］
前記ＰＵＳＣＨが、無線フレームの第１のアップリンクサブフレーム中の割り当てられたインターレースのクラスタの第１のサブセットと前記無線フレームの後続のアップリンクサブフレームのための割り当てられたインターレースのクラスタの第２のサブセットとを備え、割り当てられたインターレースのクラスタの前記第２のサブセットが、割り当てられたインターレースのクラスタの前記第１のサブセットとは異なる数の、割り当てられたインターレースのクラスタを有する、Ｃ８１に記載の装置。
［Ｃ８４］
ワイヤレス通信のためのコンピュータ実行可能コードを記憶する非一時的コンピュータ可読媒体であって、前記コードが、プロセッサによって、
１つまたは複数のアップリンクチャネル上で送信されるべきデータを備えるデータストリームを取得することと、前記１つまたは複数のアップリンクチャネルの各々が、共有無線周波数スペクトル帯域を介したアップリンク送信のためのいくつかの割り当てられたインターレースを備える、ここにおいて、前記いくつかの割り当てられたインターレースの各々が、前記共有無線周波数スペクトル帯域の１つまたは複数のリソースブロックを備える、
前記いくつかの割り当てられたインターレースのための１つまたは複数の多重分離されたデータストリームを与えるために前記データストリームを多重分離することと、
前記いくつかの割り当てられたインターレースに関連する複数のリソース要素に前記１つまたは複数の多重分離されたデータストリームのうちの少なくとも１つをマッピングすることと
を行うために実行可能である、非一時的コンピュータ可読媒体。
［Ｃ８５］
前記いくつかの割り当てられたインターレースの各々が、前記共有無線周波数スペクトル帯域の複数の不連続リソースブロックを備える、Ｃ８４に記載の非一時的コンピュータ可読媒体。
［Ｃ８６］
前記いくつかの割り当てられたインターレースの各々が、前記共有無線周波数スペクトル帯域の複数の連続リソースブロックを備える、Ｃ８４に記載の非一時的コンピュータ可読媒体。
［Ｃ８７］
前記いくつかの割り当てられたインターレースの各々が、前記共有無線周波数スペクトル帯域の複数のリソースブロックを備え、ここにおいて、前記複数のリソースブロックの第１のサブセットが連続であり、前記複数のリソースブロックの第２のサブセットが不連続である、Ｃ８４に記載の非一時的コンピュータ可読媒体。
［Ｃ８８］
前記１つまたは複数のアップリンクチャネルが、物理アップリンク共有チャネル（ＰＵＳＣＨ）を備える、Ｃ８４に記載の非一時的コンピュータ可読媒体。
［Ｃ８９］
前記コードが、前記プロセッサによって、
前記１つまたは複数の多重分離されたデータストリームの各々のために離散フーリエ変換（ＤＦＴ）を実行することと
を行うためにさらに実行可能である、Ｃ８８に記載の非一時的コンピュータ可読媒体。  ［Ｃ９０］
前記１つまたは複数のアップリンクチャネルが、物理アップリンク制御チャネル（ＰＵＣＣＨ）を備える、Ｃ８４に記載の非一時的コンピュータ可読媒体。
［Ｃ９１］
前記コードが、前記プロセッサによって、
前記１つまたは複数の多重分離されたデータストリームのうちの少なくとも１つのために離散フーリエ変換（ＤＦＴ）を実行すること
を行うためにさらに実行可能である、Ｃ９０に記載の非一時的コンピュータ可読媒体。  ［Ｃ９２］
前記コードが、前記プロセッサによって、
前記ＰＵＣＣＨ上で送信されるべき前記データのペイロードサイズを決定することと、  前記ペイロードサイズに基づいて選択された符号化方式を使用して送信されるべき前記データを符号化することと
を行うためにさらに実行可能である、Ｃ９０に記載の非一時的コンピュータ可読媒体。  ［Ｃ９３］
前記コードが、前記プロセッサによって、前記ペイロードサイズのしきい値に少なくとも部分的に基づいて前記データを符号化する前記符号化方式を選択することを行うためにさらに実行可能である、Ｃ９２に記載の非一時的コンピュータ可読媒体。
［Ｃ９４］
前記１つまたは複数のアップリンクチャネルが、物理ランダムアクセスチャネル（ＰＲＡＣＨ）を備える、Ｃ８４に記載の非一時的コンピュータ可読媒体。
［Ｃ９５］
前記コードが、前記プロセッサによって、
ランダムアクセス要求のための前記いくつかの割り当てられたインターレースのサブセットを選択することと、
前記いくつかの割り当てられたインターレースの前記選択されたサブセットのための前記データストリームに送信されるべき前記データを符号化することと
を行うためにさらに実行可能である、Ｃ９４に記載の非一時的コンピュータ可読媒体。  ［Ｃ９６］
前記コードが、前記プロセッサによって、
前記いくつかの割り当てられたインターレースの各々のための前記１つまたは複数の多重分離されたデータストリームの各々を拡散することと、
前記１つまたは複数の多重分離されたデータストリームの各々のために離散フーリエ変換（ＤＦＴ）を実行することと
を行うためにさらに実行可能である、Ｃ９５に記載の非一時的コンピュータ可読媒体。  ［Ｃ９７］
前記１つまたは複数のアップリンクチャネルが、物理アップリンク制御チャネル（ＰＵＣＣＨ）と、物理アップリンク共有チャネル（ＰＵＳＣＨ）と、物理ランダムアクセスチャネル（ＰＲＡＣＨ）とを備える、Ｃ８４に記載の非一時的コンピュータ可読媒体。
［Ｃ９８］
前記ＰＵＣＣＨ、ＰＵＳＣＨ、およびＰＲＡＣＨの前記各々が、割り当てられたインターレースの１つまたは複数のクラスタを備える、Ｃ９７に記載の非一時的コンピュータ可読媒体。
［Ｃ９９］
前記ＰＵＣＣＨと前記ＰＲＡＣＨとの各々が、無線フレームの第１のアップリンクサブフレーム中に割り当てられたインターレースの１つまたは複数のクラスタを備える、Ｃ９８に記載の非一時的コンピュータ可読媒体。
［Ｃ１００］
前記ＰＵＳＣＨが、無線フレームの第１のアップリンクサブフレーム中の割り当てられたインターレースのクラスタの第１のサブセットと前記無線フレームの後続のアップリンクサブフレームのための割り当てられたインターレースのクラスタの第２のサブセットとを備え、割り当てられたインターレースのクラスタの前記第２のサブセットが、割り当てられたインターレースのクラスタの前記第１のサブセットとは異なる数の、割り当てられたインターレースのクラスタを有する、Ｃ９８に記載の非一時的コンピュータ可読媒体。
【図１】
2019126038.tif 000003
【図２】
2019126038.tif 000004
【図３】
2019126038.tif 000005
【図４】
2019126038.tif 000006
【図５】
2019126038.tif 000007
【図６】
2019126038.tif 000008
【図７】
2019126038.tif 000009
【図８】
2019126038.tif 000010
【図９】
2019126038.tif 000011
【図１０】
2019126038.tif 000012
【図１１】
2019126038.tif 000013
【図１２】
2019126038.tif 000014
【図１３】
2019126038.tif 000015
【図１４】
2019126038.tif 000016
【図１５】
2019126038.tif 000017
【図１６】
2019126038.tif 000018
【図１７】
2019126038.tif 000019
【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
周波数スペクトルの利用可能な帯域幅を識別することと、
前記周波数スペクトルを介したアップリンク送信のために割り当てられたいくつかのインターレース上で送信されるべき情報を備えるストリームを取得することと、ここにおいて、前記いくつかのインターレースの各々が、前記周波数スペクトルの１つまたは複数のリソースブロックを備え、前記いくつかのインターレースの前記１つまたは複数のリソースブロックが、前記利用可能な帯域幅の少なくとも最小の占有に及ぶ、
前記いくつかのインターレースのための１つまたは複数の多重分離されたストリームを与えるために前記ストリームを多重分離することと、
前記いくつかのインターレースに関連する複数のリソース要素に前記１つまたは複数の多重分離されたストリームのうちの少なくとも１つをマッピングすることと
を備える、方法。
【請求項２】
前記いくつかのインターレースに関連する前記複数のリソース要素を備える信号を介して前記情報を送信すること
をさらに備える、請求項１に記載の方法。
【請求項３】
前記いくつかのインターレースの各々が、前記周波数スペクトルの複数の不連続リソースブロックを備える、請求項１に記載の方法。
【請求項４】
前記いくつかのインターレースの各々が、前記周波数スペクトルの複数の連続リソースブロックを備える、請求項１に記載の方法。
【請求項５】
前記いくつかのインターレースの各々が、前記周波数スペクトルの複数のリソースブロックを備え、ここにおいて、前記複数のリソースブロックの第１のサブセットが連続であり、前記複数のリソースブロックの第２のサブセットが不連続である、請求項１に記載の方法。
【請求項６】
前記いくつかのインターレースの少なくとも一部分が、物理アップリンク共有チャネル（ＰＵＳＣＨ）に関連する、請求項１に記載の方法。
【請求項７】
前記ＰＵＳＣＨに関連する前記いくつかのインターレースの前記少なくとも一部分の前記１つまたは複数のリソースブロックが、非隣接リソースブロックを備え、ここにおいて、別個の多重分離されたストリームが、前記非隣接リソースブロックの各リソースブロックにマッピングされる、請求項６に記載の方法。
【請求項８】
前記ＰＵＳＣＨに関連する前記いくつかのインターレースの前記少なくとも一部分の前記１つまたは複数のリソースブロックが、少なくとも２つの隣接リソースブロックを備え、ここにおいて、前記１つまたは複数の多重分離されたストリームのうちの１つが、前記少なくとも２つの隣接リソースブロックの各リソースブロックにマッピングされる、請求項６に記載の方法。
【請求項９】
前記複数のリソース要素が、シングルキャリア周波数分割多元接続（ＳＣ−ＦＤＭＡ）技法を使用して送信される、請求項６に記載の方法。
【請求項１０】
多重分離されたストリームごとに離散フーリエ変換（ＤＦＴ）を実行すること
をさらに備える、請求項９に記載の方法。
【請求項１１】
前記複数のリソース要素が、直交周波数分割多元接続（ＯＦＤＭＡ）技法を使用して送信される、請求項６に記載の方法。
【請求項１２】
前記いくつかのインターレースの少なくとも一部分が、物理アップリンク制御チャネル（ＰＵＣＣＨ）に関連する、請求項１に記載の方法。
【請求項１３】
前記１つまたは複数の多重分離されたストリームのうちの少なくとも１つのために離散フーリエ変換（ＤＦＴ）を実行すること
をさらに備える、請求項１２に記載の方法。
【請求項１４】
前記ＰＵＣＣＨ上で送信されるべき前記情報の少なくとも一部分のペイロードサイズを決定することと、
前記ペイロードサイズに基づいて選択された符号化方式を使用して前記情報の前記少なくとも一部分を符号化することと
をさらに備える、請求項１２に記載の方法。
【請求項１５】
前記情報の前記少なくとも一部分を符号化することが、前記ペイロードサイズのしきい値に少なくとも部分的に基づいて前記情報の前記少なくとも一部分を符号化する前記符号化方式を選択することを備える、請求項１４に記載の方法。
【請求項１６】
前記ＰＵＣＣＨに関連する前記いくつかのインターレースの量に少なくとも部分的に基づいて前記符号化された情報をレートマッチングすること
をさらに備える、請求項１４に記載の方法。
【請求項１７】
前記レートマッチングされた符号化された情報をインターリーブすること
をさらに備える、請求項１６に記載の方法。
【請求項１８】
前記インターリーブされレートマッチングされた符号化された情報をスクランブルすること
をさらに備える、請求項１７に記載の方法。
【請求項１９】
拡散シーケンスを使用して前記１つまたは複数の多重分離されたストリームの各々を拡散すること
をさらに備える、請求項１２に記載の方法。
【請求項２０】
基準信号で前記１つまたは複数の多重分離されたストリームの各々を多重化すること
をさらに備える、請求項１２に記載の方法。
【請求項２１】
前記いくつかのインターレースの少なくとも一部分が、物理ランダムアクセスチャネル（ＰＲＡＣＨ）に関連する、請求項１に記載の方法。
【請求項２２】
ランダムアクセス要求のための前記いくつかのインターレースのサブセットを選択することと、
前記いくつかのインターレースの前記選択されたサブセットを介して送信されるべき前記情報の少なくとも一部分を符号化することと
をさらに備える、請求項２１に記載の方法。
【請求項２３】
前記ＰＲＡＣＨに関連する前記いくつかのインターレースの量に少なくとも部分的に基づいて前記符号化された情報をレートマッチングすること
をさらに備える、請求項２２に記載の方法。
【請求項２４】
前記レートマッチングされた符号化された情報をインターリーブすること
をさらに備える、請求項２３に記載の方法。
【請求項２５】
前記インターリーブされレートマッチングされた符号化された情報をスクランブルすること
をさらに備える、請求項２４に記載の方法。
【請求項２６】
前記ＰＲＡＣＨに関連する前記いくつかのインターレースの前記少なくとも一部分の各々のための前記１つまたは複数の多重分離されたストリームの各々を拡散することと、
前記１つまたは複数の多重分離されたストリームごとに離散フーリエ変換（ＤＦＴ）を実行すること
をさらに備える、請求項２１に記載の方法。
【請求項２７】
前記ＰＲＡＣＨに関連する前記いくつかのインターレースの前記少なくとも一部分の各々のための前記１つまたは複数の多重分離されたストリームの各々を、基準信号で、多重化すること
をさらに備える、請求項２１に記載の方法。
【請求項２８】
前記いくつかのインターレースが、物理アップリンク制御チャネル（ＰＵＣＣＨ）と、物理アップリンク共有チャネル（ＰＵＳＣＨ）と、物理ランダムアクセスチャネル（ＰＲＡＣＨ）とに関連する、請求項１に記載の方法。
【請求項２９】
前記ＰＵＣＣＨ、ＰＵＳＣＨ、およびＰＲＡＣＨの前記各々が、前記いくつかのインターレースの１つまたは複数のクラスタを備える、請求項２８に記載の方法。
【請求項３０】
前記１つまたは複数のクラスタの各々が、前記ＰＵＣＣＨ、ＰＵＳＣＨ、またはＰＲＡＣＨのうちの１つに関連する前記いくつかのインターレースを備える、請求項２９に記載の方法。
【請求項３１】
前記ＰＵＣＣＨが、無線フレームの第１のアップリンクサブフレーム中の１つまたは複数のクラスタを備える、請求項２９に記載の方法。
【請求項３２】
前記ＰＲＡＣＨが、無線フレームの第１のアップリンクサブフレーム中の１つまたは複数のクラスタを備える、請求項２９に記載の方法。
【請求項３３】
前記ＰＵＳＣＨが、無線フレームの第１のアップリンクサブフレーム中のクラスタの第１のサブセットと前記無線フレームの後続のアップリンクサブフレームのためのクラスタの第２のサブセットとを備え、クラスタの前記第２のサブセットが、クラスタの前記第１のサブセットとは異なる数のクラスタを有する、請求項２９に記載の方法。
【請求項３４】
クラスタの前記第１のサブセットとクラスタの前記第２のサブセットとのために利用可能なクラスタが、基地局から受信された制御シグナリングに基づいて決定される、請求項３３に記載の方法。
【請求項３５】
ワイヤレス通信のための装置であって、
プロセッサと、
前記プロセッサと電子通信しているメモリと、
前記メモリに記憶された命令とを備え、前記命令が、
周波数スペクトルの利用可能な帯域幅を識別することと、
前記周波数スペクトルを介したアップリンク送信のために割り当てられたいくつかのインターレース上で送信されるべき情報を備えるストリームを取得することと、ここにおいて、前記いくつかのインターレースの各々が、前記周波数スペクトルの１つまたは複数のリソースブロックを備え、前記いくつかのインターレースの前記１つまたは複数のリソースブロックが、前記利用可能な帯域幅の少なくとも最小の占有に及ぶ、
前記いくつかのインターレースのための１つまたは複数の多重分離されたストリームを与えるために前記ストリームを多重分離することと、
前記いくつかのインターレースに関連する複数のリソース要素に前記１つまたは複数の多重分離されたストリームのうちの少なくとも１つをマッピングすることと
を前記装置に行わせるために前記プロセッサによって実行可能である、装置。
【請求項３６】
前記命令が、
前記いくつかのインターレースに関連する前記複数のリソース要素を備える信号を介して前記情報を送信すること
を前記装置に行わせるために前記プロセッサによってさらに実行可能である、請求項３５に記載の装置。
【請求項３７】
前記いくつかのインターレースの各々が、前記周波数スペクトルの複数の不連続リソースブロックを備える、請求項３５に記載の装置。
【請求項３８】
前記いくつかのインターレースの各々が、前記周波数スペクトルの複数の連続リソースブロックを備える、請求項３５に記載の装置。
【請求項３９】
前記いくつかのインターレースの各々が、前記周波数スペクトルの複数のリソースブロックを備え、ここにおいて、前記複数のリソースブロックの第１のサブセットが連続であり、前記複数のリソースブロックの第２のサブセットが不連続である、請求項３５に記載の装置。
【請求項４０】
前記いくつかのインターレースの少なくとも一部分が、物理アップリンク共有チャネル（ＰＵＳＣＨ）に関連する、請求項３５に記載の装置。
【請求項４１】
前記ＰＵＳＣＨに関連する前記いくつかのインターレースの前記少なくとも一部分の前記１つまたは複数のリソースブロックが、非隣接リソースブロックを備え、ここにおいて、別個の多重分離されたストリームが、前記非隣接リソースブロックの各リソースブロックにマッピングされる、請求項４０に記載の装置。
【請求項４２】
前記ＰＵＳＣＨに関連する前記いくつかのインターレースの前記少なくとも一部分の前記１つまたは複数のリソースブロックが、少なくとも２つの隣接リソースブロックを備え、ここにおいて、前記１つまたは複数の多重分離されたストリームのうちの１つが、前記少なくとも２つの隣接リソースブロックの各リソースブロックにマッピングされる、請求項４０に記載の装置。
【請求項４３】
前記複数のリソース要素が、シングルキャリア周波数分割多元接続（ＳＣ−ＦＤＭＡ）技法を使用して送信される、請求項４０に記載の装置。
【請求項４４】
前記命令が、
多重分離されたストリームごとに離散フーリエ変換（ＤＦＴ）を実行すること
を前記装置に行わせるために前記プロセッサによってさらに実行可能である、請求項４３に記載の装置。
【請求項４５】
前記複数のリソース要素が、直交周波数分割多元接続（ＯＦＤＭＡ）技法を使用して送信される、請求項４０に記載の装置。
【請求項４６】
前記いくつかのインターレースの少なくとも一部分が、物理アップリンク制御チャネル（ＰＵＣＣＨ）に関連する、請求項３５に記載の装置。
【請求項４７】
前記命令が、
前記１つまたは複数の多重分離されたストリームのうちの少なくとも１つのために離散フーリエ変換（ＤＦＴ）を実行すること
を前記装置に行わせるために前記プロセッサによってさらに実行可能である、請求項４６に記載の装置。
【請求項４８】
前記命令が、
前記ＰＵＣＣＨ上で送信されるべき前記情報の少なくとも一部分のペイロードサイズを決定することと、
前記ペイロードサイズに基づいて選択された符号化方式を使用して前記情報の前記少なくとも一部分を符号化することと
を前記装置に行わせるために前記プロセッサによってさらに実行可能である、請求項４６に記載の装置。
【請求項４９】
前記情報の前記少なくとも一部分を符号化することが、前記ペイロードサイズのしきい値に少なくとも部分的に基づいて前記情報の前記少なくとも一部分を符号化する前記符号化方式を選択することを備える、請求項４８に記載の装置。
【請求項５０】
前記命令が、
前記ＰＵＣＣＨに関連する前記いくつかのインターレースの量に少なくとも部分的に基づいて前記符号化された情報をレートマッチングすること
を前記装置に行わせるために前記プロセッサによってさらに実行可能である、請求項４８に記載の装置。
【請求項５１】
前記命令が、
前記レートマッチングされた符号化された情報をインターリーブすること
を前記装置に行わせるために前記プロセッサによってさらに実行可能である、請求項５０に記載の装置。
【請求項５２】
前記命令が、
前記インターリーブされレートマッチングされた符号化された情報をスクランブルすること
を前記装置に行わせるために前記プロセッサによってさらに実行可能である、請求項５１に記載の装置。
【請求項５３】
前記命令が、
拡散シーケンスを使用して前記１つまたは複数の多重分離されたストリームの各々を拡散すること
を前記装置に行わせるために前記プロセッサによってさらに実行可能である、請求項４６に記載の装置。
【請求項５４】
前記命令が、
基準信号で前記１つまたは複数の多重分離されたストリームの各々を多重化すること
を前記装置に行わせるために前記プロセッサによってさらに実行可能である、請求項４６に記載の装置。
【請求項５５】
前記いくつかのインターレースの少なくとも一部分が、物理ランダムアクセスチャネル（ＰＲＡＣＨ）に関連する、請求項３５に記載の装置。
【請求項５６】
前記命令が、
ランダムアクセス要求のための前記いくつかのインターレースのサブセットを選択することと、
前記いくつかのインターレースの前記選択されたサブセットを介して送信されるべき前記情報の少なくとも一部分を符号化することと
を前記装置に行わせるために前記プロセッサによってさらに実行可能である、請求項５５に記載の装置。
【請求項５７】
前記命令が、
前記ＰＲＡＣＨに関連する前記いくつかのインターレースの量に少なくとも部分的に基づいて前記符号化された情報をレートマッチングすること
を前記装置に行わせるために前記プロセッサによってさらに実行可能である、請求項５６に記載の装置。
【請求項５８】
前記命令が、
前記レートマッチングされた符号化された情報をインターリーブすること
を前記装置に行わせるために前記プロセッサによってさらに実行可能である、請求項５７に記載の装置。
【請求項５９】
前記命令が、
前記インターリーブされレートマッチングされた符号化された情報をスクランブルすること
を前記装置に行わせるために前記プロセッサによってさらに実行可能である、請求項５８に記載の装置。
【請求項６０】
前記命令が、
前記ＰＲＡＣＨに関連する前記いくつかのインターレースの前記少なくとも一部分の各々のための前記１つまたは複数の多重分離されたストリームの各々を拡散することと、
前記１つまたは複数の多重分離されたストリームごとに離散フーリエ変換（ＤＦＴ）を実行することと
を前記装置に行わせるために前記プロセッサによってさらに実行可能である、請求項５５に記載の装置。
【請求項６１】
前記命令が、
前記ＰＲＡＣＨに関連する前記いくつかのインターレースの前記少なくとも一部分の各々のための前記１つまたは複数の多重分離されたストリームの各々を、基準信号で、多重化すること
を前記装置に行わせるために前記プロセッサによってさらに実行可能である、請求項５５に記載の装置。
【請求項６２】
前記いくつかのインターレースが、物理アップリンク制御チャネル（ＰＵＣＣＨ）と、物理アップリンク共有チャネル（ＰＵＳＣＨ）と、物理ランダムアクセスチャネル（ＰＲＡＣＨ）とに関連する、請求項３５に記載の装置。
【請求項６３】
前記ＰＵＣＣＨ、ＰＵＳＣＨ、およびＰＲＡＣＨの前記各々が、前記いくつかのインターレースの１つまたは複数のクラスタを備える、請求項６２に記載の装置。
【請求項６４】
前記１つまたは複数のクラスタの各々が、前記ＰＵＣＣＨ、ＰＵＳＣＨ、またはＰＲＡＣＨのうちの１つに関連する前記いくつかのインターレースを備える、請求項６３に記載の装置。
【請求項６５】
前記ＰＵＣＣＨが、無線フレームの第１のアップリンクサブフレーム中の１つまたは複数のクラスタを備える、請求項６３に記載の装置。
【請求項６６】
前記ＰＲＡＣＨが、無線フレームの第１のアップリンクサブフレーム中の１つまたは複数のクラスタを備える、請求項６３に記載の装置。
【請求項６７】
前記ＰＵＳＣＨが、無線フレームの第１のアップリンクサブフレーム中のクラスタの第１のサブセットと前記無線フレームの後続のアップリンクサブフレームのためのクラスタの第２のサブセットとを備え、クラスタの前記第２のサブセットが、クラスタの前記第１のサブセットとは異なる数のクラスタを有する、請求項６３に記載の装置。
【請求項６８】
クラスタの前記第１のサブセットとクラスタの前記第２のサブセットとのために利用可能なクラスタが、基地局から受信された制御シグナリングに基づいて決定される、請求項６７に記載の装置。
【請求項６９】
ワイヤレス通信のための装置であって、
周波数スペクトルの利用可能な帯域幅を識別するための手段と、
前記周波数スペクトルを介したアップリンク送信のために割り当てられたいくつかのインターレース上で送信されるべき情報を備えるストリームを取得するための手段と、ここにおいて、前記いくつかのインターレースの各々が、前記周波数スペクトルの１つまたは複数のリソースブロックを備え、前記いくつかのインターレースの前記１つまたは複数のリソースブロックが、前記利用可能な帯域幅の少なくとも最小の占有に及ぶ、
前記いくつかのインターレースのための１つまたは複数の多重分離されたストリームを与えるために前記ストリームを多重分離するための手段と、
前記いくつかのインターレースに関連する複数のリソース要素に前記１つまたは複数の多重分離されたストリームのうちの少なくとも１つをマッピングするための手段と
を備える、装置。
【請求項７０】
前記いくつかのインターレースに関連する前記複数のリソース要素を備える信号を介して前記情報を送信するための手段
をさらに備える、請求項６９に記載の装置。
【請求項７１】
前記いくつかのインターレースの各々が、前記周波数スペクトルの複数の不連続リソースブロックを備える、請求項６９に記載の装置。
【請求項７２】
前記いくつかのインターレースの各々が、前記周波数スペクトルの複数の連続リソースブロックを備える、請求項６９に記載の装置。
【請求項７３】
前記いくつかのインターレースの各々が、前記周波数スペクトルの複数のリソースブロックを備え、ここにおいて、前記複数のリソースブロックの第１のサブセットが連続であり、前記複数のリソースブロックの第２のサブセットが不連続である、請求項６９に記載の装置。
【請求項７４】
前記いくつかのインターレースの少なくとも一部分が、物理アップリンク共有チャネル（ＰＵＳＣＨ）に関連する、請求項６９に記載の装置。
【請求項７５】
多重分離されたストリームごとに離散フーリエ変換（ＤＦＴ）を実行するための手段
をさらに備える、請求項７４に記載の装置。
【請求項７６】
前記いくつかのインターレースの少なくとも一部分が、物理アップリンク制御チャネル（ＰＵＣＣＨ）に関連する、請求項６９に記載の装置。
【請求項７７】
前記１つまたは複数の多重分離されたストリームのうちの少なくとも１つのために離散フーリエ変換（ＤＦＴ）を実行するための手段
をさらに備える、請求項７６に記載の装置。
【請求項７８】
前記ＰＵＣＣＨ上で送信されるべき前記情報の少なくとも一部分のペイロードサイズを決定するための手段と、
前記ペイロードサイズに基づいて選択された符号化方式を使用して前記情報の前記少なくとも一部分を符号化するための手段と
をさらに備える、請求項７６に記載の装置。
【請求項７９】
前記情報の前記少なくとも一部分を符号化するための前記手段が、前記ペイロードサイズのしきい値に少なくとも部分的に基づいて前記情報の前記少なくとも一部分を符号化する前記符号化方式を選択するための手段を備える、請求項７８に記載の装置。
【請求項８０】
前記いくつかのインターレースの少なくとも一部分が、物理ランダムアクセスチャネル（ＰＲＡＣＨ）に関連する、請求項６９に記載の装置。
【請求項８１】
ランダムアクセス要求のための前記いくつかのインターレースのサブセットを選択するための手段と、
前記いくつかのインターレースの前記選択されたサブセットを介して送信されるべき前記情報の少なくとも一部分を符号化するための手段と
をさらに備える、請求項８０に記載の装置。
【請求項８２】
前記ＰＲＡＣＨに関連する前記いくつかのインターレースの前記少なくとも一部分の各々のための前記１つまたは複数の多重分離されたストリームの各々を拡散するための手段と、
前記１つまたは複数の多重分離されたストリームごとに離散フーリエ変換（ＤＦＴ）を実行するための手段と
をさらに備える、請求項８０に記載の装置。
【請求項８３】
前記いくつかのインターレースが、物理アップリンク制御チャネル（ＰＵＣＣＨ）と、物理アップリンク共有チャネル（ＰＵＳＣＨ）と、物理ランダムアクセスチャネル（ＰＲＡＣＨ）とに関連する、請求項６９に記載の装置。
【請求項８４】
前記ＰＵＣＣＨ、ＰＵＳＣＨ、およびＰＲＡＣＨの前記各々が、前記いくつかのインターレースの１つまたは複数のクラスタを備える、請求項８３に記載の装置。
【請求項８５】
前記ＰＵＣＣＨと前記ＰＲＡＣＨとの各々が、無線フレームの第１のアップリンクサブフレーム中の１つまたは複数のクラスタを備える、請求項８４に記載の装置。
【請求項８６】
前記ＰＵＳＣＨが、無線フレームの第１のアップリンクサブフレーム中のクラスタの第１のサブセットと前記無線フレームの後続のアップリンクサブフレームのためのクラスタの第２のサブセットとを備え、クラスタの前記第２のサブセットが、クラスタの前記第１のサブセットとは異なる数のクラスタを有する、請求項８４に記載の装置。
【請求項８７】
ワイヤレス通信のためのコードを記憶する非一時的コンピュータ可読媒体であって、前記コードが、
周波数スペクトルの利用可能な帯域幅を識別するための手段と、
前記周波数スペクトルを介したアップリンク送信のために割り当てられたいくつかのインターレース上で送信されるべき情報を備えるストリームを取得するための手段と、ここにおいて、前記いくつかのインターレースの各々が、前記周波数スペクトルの１つまたは複数のリソースブロックを備え、前記いくつかのインターレースの前記１つまたは複数のリソースブロックが、前記利用可能な帯域幅の少なくとも最小の占有に及ぶ、
前記いくつかのインターレースのための１つまたは複数の多重分離されたストリームを与えるために前記ストリームを多重分離するための手段と、
前記いくつかのインターレースに関連する複数のリソース要素に前記１つまたは複数の多重分離されたストリームのうちの少なくとも１つをマッピングするための手段と
を行うために実行可能な命令を備える、非一時的コンピュータ可読媒体。
【請求項８８】
前記いくつかのインターレースに関連する前記複数のリソース要素を備える信号を介して前記情報を送信するための手段
をさらに備える、請求項８７に記載の非一時的コンピュータ可読媒体。
【請求項８９】
前記いくつかのインターレースの各々が、前記周波数スペクトルの複数の不連続リソースブロックを備える、請求項８７に記載の非一時的コンピュータ可読媒体。
【請求項９０】
前記いくつかのインターレースの各々が、前記周波数スペクトルの複数の連続リソースブロックを備える、請求項８７に記載の非一時的コンピュータ可読媒体。
【請求項９１】
前記いくつかのインターレースの各々が、前記周波数スペクトルの複数のリソースブロックを備え、ここにおいて、前記複数のリソースブロックの第１のサブセットが連続であり、前記複数のリソースブロックの第２のサブセットが不連続である、請求項８７に記載の非一時的コンピュータ可読媒体。
【請求項９２】
前記いくつかのインターレースの少なくとも一部分が、物理アップリンク共有チャネル（ＰＵＳＣＨ）に関連する、請求項８７に記載の非一時的コンピュータ可読媒体。
【請求項９３】
多重分離されたストリームごとに離散フーリエ変換（ＤＦＴ）を実行するための手段
をさらに備える、請求項９２に記載の非一時的コンピュータ可読媒体。
【請求項９４】
前記いくつかのインターレースの少なくとも一部分が、物理アップリンク制御チャネル（ＰＵＣＣＨ）に関連する、請求項８７に記載の非一時的コンピュータ可読媒体。
【請求項９５】
前記１つまたは複数の多重分離されたストリームのうちの少なくとも１つのために離散フーリエ変換（ＤＦＴ）を実行するための手段
をさらに備える、請求項９４に記載の非一時的コンピュータ可読媒体。
【請求項９６】
前記ＰＵＣＣＨ上で送信されるべき前記情報の少なくとも一部分のペイロードサイズを決定するための手段と、
前記ペイロードサイズに基づいて選択された符号化方式を使用して前記情報の前記少なくとも一部分を符号化するための手段と
をさらに備える、請求項９４に記載の非一時的コンピュータ可読媒体。
【請求項９７】
前記情報の前記少なくとも一部分を符号化するための前記手段が、前記ペイロードサイズのしきい値に少なくとも部分的に基づいて前記情報の前記少なくとも一部分を符号化する前記符号化方式を選択するための手段を備える、請求項９６に記載の非一時的コンピュータ可読媒体。
【請求項９８】
前記いくつかのインターレースの少なくとも一部分が、物理ランダムアクセスチャネル（ＰＲＡＣＨ）に関連する、請求項８７に記載の非一時的コンピュータ可読媒体。
【請求項９９】
ランダムアクセス要求のための前記いくつかのインターレースのサブセットを選択するための手段と、
前記いくつかのインターレースの前記選択されたサブセットを介して送信されるべき前記情報の少なくとも一部分を符号化するための手段と
をさらに備える、請求項９８に記載の非一時的コンピュータ可読媒体。
【請求項１００】
前記ＰＲＡＣＨに関連する前記いくつかのインターレースの前記少なくとも一部分の各々のための前記１つまたは複数の多重分離されたストリームの各々を拡散するための手段と、
前記１つまたは複数の多重分離されたストリームごとに離散フーリエ変換（ＤＦＴ）を実行するための手段と
をさらに備える、請求項９８に記載の非一時的コンピュータ可読媒体。
【請求項１０１】
前記いくつかのインターレースが、物理アップリンク制御チャネル（ＰＵＣＣＨ）と、物理アップリンク共有チャネル（ＰＵＳＣＨ）と、物理ランダムアクセスチャネル（ＰＲＡＣＨ）とに関連する、請求項８７に記載の非一時的コンピュータ可読媒体。
【請求項１０２】
前記ＰＵＣＣＨ、ＰＵＳＣＨ、およびＰＲＡＣＨの前記各々が、前記いくつかのインターレースの１つまたは複数のクラスタを備える、請求項１０１に記載の非一時的コンピュータ可読媒体。
【請求項１０３】
前記ＰＵＣＣＨと前記ＰＲＡＣＨとの各々が、無線フレームの第１のアップリンクサブフレーム中の１つまたは複数のクラスタを備える、請求項１０２に記載の非一時的コンピュータ可読媒体。
【請求項１０４】
前記ＰＵＳＣＨが、無線フレームの第１のアップリンクサブフレーム中のクラスタの第１のサブセットと前記無線フレームの後続のアップリンクサブフレームのためのクラスタの第２のサブセットとを備え、クラスタの前記第２のサブセットが、クラスタの前記第１のサブセットとは異なる数のクラスタを有する、請求項１０２に記載の非一時的コンピュータ可読媒体。